(57)【要約】【課題】記録トラック以外からのノイズ成分を軽減して再生特性を向上したディスク状記録媒体、その製造方法及びドライブ装置を提供する。【解決手段】ディスク状記録媒体は、電磁力を駆動力とする光ピックアップ手段を有するドライブ装置にて再生される場合、少なくとも記録トラック以外の領域が光ピックアップ手段から印加される外部磁化の影響をキャンセルする方向に一様に磁化されているか、又は、少なくとも記録トラック以外の領域に光ピックアップ手段の変調伝達関数（ＭＴＦ）より高い周波数成分を有する記録パターンが記録されている。このような場合の再生信号ＳＰ１２，ＳＰ１４は、ビット・エラーレートが低くなる。【選択図】　図８
2004022137.tif 000002
【特許請求の範囲】
【請求項１】
電磁力を駆動力とする光ピックアップ手段を有するドライブ装置にて再生されるディスク状記録媒体において、
上記光ピックアップ手段から印加される外部磁化の影響をキャンセルする方向に磁化されていることを特徴とするディスク状記録媒体。
【請求項２】
少なくとも記録トラック以外の領域が一様に磁化されていることを特徴とする請求項１記載のディスク状記録媒体。
【請求項３】
上記外部磁化の影響をキャンセルする方向は、上記光ピックアップ手段からの漏れ磁界とは略反対方向であることを特徴とする請求項１記載のディスク状記録媒体。
【請求項４】
上記ディスク状記録媒体は、磁壁移動型超解像再生方式により再生される光磁気ディスクであることを特徴とする請求項１記載のディスク状記録媒体。
【請求項５】
光ピックアップ手段を有するドライブ装置にて再生されるディスク状記録媒体において、
上記光ピックアップ手段の変調伝達関数（ＭＴＦ）より高い周波数成分を有する記録パターンが記録されていることを特徴とするディスク状記録媒体。
【請求項６】
少なくとも記録トラック以外の領域に上記記録パターンが記録されていることを特徴とする請求項５記載のディスク状記録媒体。
【請求項７】
上記ディスク状記録媒体は、磁壁移動型超解像再生方式により再生される光磁気ディスクであることを特徴とする請求項５記載のディスク状記録媒体。
【請求項８】
電磁力を駆動力とする光ピックアップ手段を有するドライブ装置にて再生されるディスク状記録媒体の製造方法において、
上記光ピックアップ手段から印加される外部磁化の影響をキャンセルする方向に磁化する工程を有することを特徴とするディスク状記録媒体の製造方法。
【請求項９】
上記磁化する工程では、少なくとも記録トラック以外の領域を一様に磁化することを特徴とする請求項８記載のディスク状記録媒体の製造方法。
【請求項１０】
上記外部磁化の影響をキャンセルする方向は、上記光ピックアップ手段からの漏れ磁界とは略反対方向であることを特徴とする請求項８記載のディスク状記録媒体の製造方法。
【請求項１１】
光ピックアップ手段を有するドライブ装置にて再生されるディスク状記録媒体の製造方法において、
上記光ピックアップ手段の変調伝達関数（ＭＴＦ）より高い周波数成分を有する記録パターンを記録する工程を有することを特徴とするディスク状記録媒体の製造方法。
【請求項１２】
記録パターンを記録する工程では、少なくとも記録トラック以外の領域に上記記録パターンを記録することを特徴とする請求項１１記載のディスク状記録媒体の製造方法。
【請求項１３】
電磁力を駆動力とする光ピックアップ手段によりディスク状記録媒体の記録／再生を行うドライブ装置において、
上記光ピックアップ手段から印加される外部磁化の影響をキャンセルする方向に上記ディスク状記録媒体を磁化する初期化処理手段を有することを特徴とするドライブ装置。
【請求項１４】
上記初期化処理手段は、少なくとも記録トラック以外の領域を一様に磁化することを特徴とする請求項１３記載のドライブ装置。
【請求項１５】
光ピックアップ手段によりディスク状記録媒体の記録／再生を行うドライブ装置において、
上記ディスク状記録媒体に対して、上記光ピックアップ手段の変調伝達関数（ＭＴＦ）より高い周波数成分を有する記録パターンを記録する初期化処理手段を有することを特徴とするドライブ装置。
【請求項１６】
上記初期化処理手段は、少なくとも記録トラック以外の領域に上記記録パターンを記録することを特徴とする請求項１５記載のドライブ装置。
【発明の詳細な説明】
【０００１】
【発明の属する技術分野】
本発明は、光ピックアップ手段を有するドライブ装置、並びにこの装置で使用されるディスク状記録媒体、及びその製造方法に関し、特に、記録トラック以外からのノイズの低減を図ったディスク状記録媒体、その製造方法及びドライブ装置に関する。
【０００２】
【従来の技術】
書き換え可能なディスク状記録媒体として、光磁気ディスクが知られている。この光磁気ディスクの記録密度を高める技術が種々開発されているが、近年において、例えば、特開平６−２９０４９６号公報（以下、文献１という。）に開示されているような技術が注目されている。
【０００３】
上記文献１で開示されている再生方式は、磁性層として、少なくとも移動層、スイッチング層及びメモリ層の３層を有した光磁気ディスクを利用して、メモリ層に記録されている磁区の大きさが移動層において実質的に拡大することを利用する磁壁移動型超解像光磁気再生方式であり、ＤＷＤＤ（Ｄｏｍａｉｎ　Ｗａｌｌ　Ｄｉｓｐｌａｃｅｍｅｎｔ　Ｄｅｔｅｃｔｉｏｎ）と呼ばれるものである。ＤＷＤＤは、情報信号の再生時に再生用レーザ光を照射して、スイッチング層内のキュリー温度以上となった領域に対応されるメモリ層と移動層との間の磁気的結合が切断されることによって、この磁気的結合が切断された領域に対応する移動層の領域において移動する磁壁を検出するものであって、これにより、メモリ層に記録されている磁区の大きさを実質的に移動層において拡大し、再生キャリア信号を大きくするというものである。
【０００４】
このＤＷＤＤによる光磁気再生方式（以下、ＤＷＤＤ再生方式という。）について具体的に説明する。ＤＷＤＤ再生方式が適用される光磁気ディスクは、図２４の（Ａ）に示すように、移動層１０１、スイッチング層１０２及びメモリ層１０３の３層の磁性層から構成されている。この光磁気ディスク１００においては、メモリ層１０３に、正逆のスピンによる異なる磁化方向（同図（Ａ）における矢印Ｍ１，Ｍ２方向）を有して、データ長を磁区の長さとされたデータが記録される。そして、光磁気ディスク１００においては、磁化方向が互いに異なる磁区１０４同士の境界が磁壁１０５となる。なお、同図（Ａ）における矢印Ｒ方向は、光磁気ディスク１００の回転方向を示している。
【０００５】
光磁気ディスク１００は、再生用レーザ光ＢＭが照射されると、局所的に加熱されるため同図２４の（Ｂ）に示すように温度分布が生じる。ここで、温度Ｔｓは、スイッチング層１０２のキュリー温度であり、この温度Ｔｓよりも温度が高いスイッチング層１０２内の領域ＤＰでは磁性が消滅する。このように光磁気ディスク１００においては、スイッチング層１０２において磁性が消滅することによって、磁性が消滅したスイッチング層１０２内の領域ＤＰとメモリ層１０１との交換結合力が切断される。これによって、光磁気ディスク１００においては、領域ＤＰに対応される移動層１０１の領域である磁壁抗磁力の小さい移動層１０１内の磁壁が単独で、同図２４の（Ａ）における矢印Ｓ方向に示す高温側に移動する。このような磁壁の移動は、メモリ層１０３の記録マークに対応した間隔として存在する移動層１０１の磁壁について、光磁気ディスク１００の走査に伴って温度Ｔｓの等温線上にこの磁壁が到達するたびに発生する。光磁気ディスク１００は、この磁壁の移動が検出されることによって、メモリ層１０３に記録されている記録データが実質的に拡大して再生される。なお、上述したような高温側への磁壁の移動は、最高温度部付近までとなるが、最高温度部は、例えばビームスポット内における後方位置で生じている。
【０００６】
このＤＷＤＤ再生方式は、再生用レーザ光の光学的な限界分解能以下の周期の微小記録磁区からも非常に大きな信号を再生することが可能であり、再生用レーザ光の波長、対物レンズの開口数（Ｎｕｍｅｒｉｃａｌ　Ａｐｅｒｔｕｒｅ；ＮＡ）等を変更することなく高密度化が行なえる有力な再生方式の１つである。すなわち、ＤＷＤＤ再生方式によれば、ビームスポット走査方向に関して記録密度の大幅な向上を図ることが可能となる。
【０００７】
一方、記録方式としては、主に光変調と磁界変調との２つ方式があるが、磁界変調の記録方式は、記録マークを小さくして記録することができ、記録されるデータ容量を大きくすることができる。
【０００８】
磁界変調の記録方式では、再生時よりも大きい出力レベルの記録用レーザ光を上述した光磁気ディスク１００に照射して、記録信号に応じた変調磁界を印加して記録マークとして所望の記録トラックに記録する。図２５に、記録トラック１００ａ上に形成される記録用レーザ光によるビームスポットＳＰの形状と、光磁気ディスク１００のメモリ層１０３に記録される記録マーク１１０の形状との関係を示す。
【０００９】
磁界変調の記録方式においては、同図に示すように、記録用レーザ光を照射することによって、ビームスポットＳＰの形状に対応してそのビームスポットＳＰの略中心位置に発生される高温部１１１に、変調磁界による記録が順次行われ、その結果、記録マーク１１０が記録される。高温部１１１の発生領域は、ビームスポットＳＰの形状に依存することから、同図２５に示すように、ビームスポットＳＰが略円形状の場合には、記録マーク１１０の形状は、高温部１１１の後端部に沿った形状とされ、略矢羽形状とされる。すなわち、記録マーク１１０の外形をなすエッジ部分１１０ａの形状は、ビームスポットＳＰの後端部の曲率に依存する形状とされる。なお、高温部１１１は、メモリ層１０３のキュリー温度を超える温度とされ、再生時に再生用レーザ光を照射することにより発生される高温部の温度とは異なるものである。
【００１０】
上述のように磁界変調の記録方式により記録された記録マーク１１０について、ＤＷＤＤ再生方式では、再生用レーザ光を照射して加熱することにより発生するエッジ部分１１０ａの移動を検出することによって、信号の再生を行っている。このようなＤＷＤＤ再生方式によりディスクの線密度を高めることができる。
【００１１】
【発明が解決しようとする課題】
ところで、上述のような光磁気ディスクの製造時において、基板に対して情報を記録するための記録膜及びその保護膜等を製膜するが、製膜直後の膜は磁化の方向が様々な方向に向いているため、これが記録再生時のノイズ成分となる。光磁気ディスクの記録トラック上のノイズ成分は、一度記録してしまえば消えてしまうものの、記録トラックではない部分については、記録することがないため、磁化が不揃いのまま残ることになる。これが狭トラックピッチのディスクの場合、クロストーク成分として見えてしまい、信号のＳＮ比（信号対雑音比）を劣化させ、信号品質を低下させる原因となる。
【００１２】
そこで、通常、製造時の最終工程又は出荷前等において光磁気ディスクの初期化処理が行われる。光磁気ディスクを量産した際の初期化処理としては、ディスクの磁性膜のキュリー点を超え、一方向に磁界をかけた高温の炉に光磁気ディスクを入れ、瞬間的にディスクを高温にし、磁性膜の磁化方向を揃えるバルク・イレース方法が一般的である。しかしながら、ＤＷＤＤ等の磁気超解像の光磁気ディスクにおいては、このようにバルク・イレースを行ったとしても、録再生時のノイズ成分が大きく、再生特性が悪いという問題点がある。
【００１３】
また、光磁気ディスクのフォーカス及びトラキングを行うための２軸アクチュエータは、磁気回路による駆動が一般的であり、磁石を使用するため、漏れ磁界が発生する。この漏れ磁界によりノイズ成分が増大するという問題点もある。
【００１４】
本発明は、このような従来の実情に鑑みて提案されたものであり、記録トラック以外からのノイズ成分を軽減して再生特性を向上したディスク状記録媒体、その製造方法及びドライブ装置を提供することを目的とする。
【００１５】
【課題を解決するための手段】
上述した目的を達成するために、本発明に係るディスク状記録媒体は、電磁力を駆動力とする光ピックアップ手段を有するドライブ装置にて再生されるディスク状記録媒体において、上記光ピックアップ手段から印加される外部磁化の影響をキャンセルする方向に磁化されていることを特徴とする。
【００１６】
本発明においては、光学ピックアップの２軸からの漏れ磁界の影響をキャンセルする方向に磁化されているため、再生時のクロストークによるノイズ成分を軽減することができる。
【００１７】
また、少なくとも記録トラック以外の領域が一様に磁化されたものとすることができ、更に、上記外部磁化の影響をキャンセルする方向は、上記光ピックアップ手段からの漏れ磁界とは略反対方向とすることができる。更にまた、上記ディスク状記録媒体は、磁壁移動型超解像再生方式により再生される光磁気ディスクとすることができる。これにより、記録トラック以外の部分からのノイズ成分を軽減するため、記録トラック以外の領域、即ち、グルーブ記録の場合はランド、ランド記録の場合はグルーブが外部磁化の影響をキャンセルする方向に一様に磁化されているので、製膜直後の磁化が不揃いなまま残ることによる影響及び光学ピックアップ手段から印加される漏れ磁界からの影響がない良好な再生特性を得ることができる。
【００１８】
本発明に係る他のディスク状記録媒体は、光ピックアップ手段を有するドライブ装置にて再生されるディスク状記録媒体において、上記光ピックアップの変調伝達関数（ＭＴＦ）より高い周波数成分を有する記録パターンが記録されていることを特徴とする。
【００１９】
本発明においては、変調伝達関数（ＭＴＦ）より高い周波数成分を有する記録パターンが記録されていることにより、初期状態における磁化が不揃いなまま残ることによる影響及び一様に磁化することによる浮遊磁界の影響がない良好な再生特性を得ることができる。
【００２０】
また、少なくとも記録トラック以外の領域に上記記録パターンが記録されたものとすることができる。即ち、グルーブ記録及び／又はランド記録の光磁気ディスクにおいて、例えばグルーブ記録の場合は少なくともランド、ランド記録の場合は少なくともグルーブに記録パターンを記録しておくことができる。
【００２１】
本発明に係るディスク状記録媒体の製造方法は、電磁力を駆動力とする光ピックアップ手段を有するドライブ装置にて再生されるディスク状記録媒体の製造方法において、上記光ピックアップ手段から印加される外部磁化の影響をキャンセルする方向に磁化する工程を有することを特徴とする。
【００２２】
また、上記磁化する工程では、少なくとも記録トラック以外の領域を一様に磁化することができる。更に、上記外部磁化の影響をキャンセルする方向は、上記光ピックアップ手段からの漏れ磁界とは略反対方向とすることができる。
【００２３】
本発明に係る他のディスク状記録媒体の製造方法は、光ピックアップ手段を有するドライブ装置にて再生されるディスク状記録媒体の製造方法において、上記光ピックアップの変調伝達関数（ＭＴＦ）より高い周波数成分を有する記録パターンを記録する工程を有することを特徴とする。
【００２４】
また、記録パターンを記録する工程では、少なくとも記録トラック以外の領域に上記記録パターンを記録することができる。
【００２５】
本発明に係るドライブ装置は、電磁力を駆動力とする光ピックアップ手段によりディスク状記録媒体の記録／再生を行うドライブ装置において、上記光ピックアップ手段から印加される外部磁化の影響をキャンセルする方向に上記ディスク状記録媒体を磁化する初期化処理手段を有することを特徴とする。
【００２６】
本発明に係る他のドライブ装置は、光ピックアップ手段によりディスク状記録媒体の記録／再生を行うドライブ装置において、上記ディスク状記録媒体に対して、上記光ピックアップ手段の変調伝達関数（ＭＴＦ）より高い周波数成分を有する記録パターンを記録する初期化処理手段を有することを特徴とする。
【００２７】
【発明の実施の形態】
以下、本発明を適用した具体的な実施の形態について、図面を参照しながら詳細に説明する。第１の実施の形態は、磁壁移動型超解像再生方式、いわゆるＤＷＤＤ（Ｄｏｍａｉｎ　Ｗａｌｌ　Ｄｉｓｐｌａｃｅｍｅｎｔ　Ｄｅｔｅｃｔｉｏｎ）再生方式を採用した光磁気ディスクに本発明を適用したものであって、記録トラック以外の部分からのノイズ成分を軽減するために、記録トラック以外の領域、即ち、グルーブ（ｇｒｏｏｖｅ）記録及び／又はランド（ｌａｎｄ）記録の光磁気ディスクにおいて、例えばグルーブ記録の場合はランド、ランド記録の場合はグルーブを電磁力を駆動力とする光学ピックアップ手段の２軸アクチュエータからの漏れ磁界の影響をキャンセルする方向に磁化の方向を合わせて一様な方向に磁化することにより、クロストークによるノイズ成分を軽減したものである。具体的には、ディスク全面を上記漏れ磁界とは逆方向に一様に磁化することにより容易に実現することができる。
【００２８】
上述した如く、光磁気ディスクは、製膜直後の膜は様々な方向に磁化の方向が向いているために、これがクロストーク等のノイズ成分となる。光磁気ディスクの記録トラック上のノイズ成分は、一度記録してしまえば消えてしまうものの、記録トラックではない部分については、記録することがないため、磁化が不揃いのまま残ることになる。これが狭トラックピッチのディスクの場合、クロストーク成分として見えてしまい、信号のＳＮ比を劣化させ、信号品質を低下させる原因となる。
【００２９】
そこで、光磁気ディスクを使用する前、例えば光磁気ディスクの製造工程における最終工程、又は、出荷前等の適当な時期において、グルーブ記録の場合は少なくともランド、ランド記録の場合は少なくともグルーブを外部磁界をキャンセルする方向に一様に磁化の方向に揃える初期化処理を行うことにより、大幅にノイズ成分を軽減して再生特性を向上させることができる。以下、本実施の形態においては、グルーブ記録の光磁気ディスクについて説明する。
【００３０】
図１は、グルーブ記録の光磁気ディスクに対して、ランドを一様な方向に磁化させた本実施の形態の光磁気ディスクに、周期２Ｔで記録した場合の再生信号のスペクトルを示すグラフ図である。図１に示す横軸は、周波数を示し、縦軸は信号レベルを示す。また、Ｔは入力データのビット間隔を示す。なお、比較のため、製膜後に何も処理を施していない状態、即ち、磁化方向が様々な方向に向いているものに対して、同様に周期２Ｔでグルーブ記録を行ったものを合わせて示す。以下、このような光磁気ディスクの製膜後の磁化方向が一様でない状態を初期状態という。図中、４．５〜５ＭＨｚ近傍の位置に見えるピークがグルーブに周期２Ｔで記録したデータの再生信号を示す。図１に示すように、低周波数側において、初期状態の光磁気ディスクの再生信号ＳＰ２に比して、ランドを一様な方向に磁化させた本実施の形態の光磁気ディスクの再生信号ＳＰ１方が、ノイズが小さくなっていることがわかる。
【００３１】
ここで、本実施の形態の光磁気ディスクは、記録トラック以外の領域を一様に磁化したものであるが、その方向は、ドライブ装置における漏れ磁界等、外部磁化の影響をキャンセルする方向（漏れ磁界の方向とは逆方向）となっている。以下、外部磁界の影響をキャンセルする方向に一様に磁化する理由について説明する。
【００３２】
製膜直後における光磁気ディスクの記録膜は磁化方向が不揃いなため、狭トラックピッチの場合、これがクロストーク成分となり、信号のＳＮ比を劣化させ信号品質を低下させる。そこで、このような狭トラックピッチを有するＤＶＤＤ等の磁気超解像ディスク一様に磁化することにより、ノイズを低減することができる。したしながら、一様に磁化された領域からの浮遊磁界の影響で、マークそのものの拡大を妨げ、エラーレートが悪化する場合がある。
【００３３】
また、光磁気ディスクは、上述の初期状態における磁化が不揃いなまま残ることによる影響とは別に、光学ピックアップを制御する２軸アクチュエータからの漏れ磁界からも同様に悪影響を受ける。即ち、ＤＶＤＤ等の磁気超解像ディスクの場合、外部からの磁界が存在すると、マークの拡大を妨げる要因となり、再生特性が劣化する。ドライブ装置における光学ピックアップのフォーカス及びトラッキングを制御するための２軸アクチュエータは、磁気回路による駆動が一般的である。図２（ａ）及び図２（ｂ）は、アクチュエータの一例として、フォーカス方向の駆動機構を示す模式図であって、図２（ｂ）は、図２（ａ）のＢ−Ｂ線における側面図である。
【００３４】
図２（ａ）及び図２（ｂ）に示すように、駆動機構２１０は、フォーカスコイル２１１ａ及びフォーカスコイル２１１ｂに挟まれて、軸２１３を摺動する可動部２１２を有している。可動部２１２は、対物レンズ２１４が取り付けられており、この対物レンズ２１４により、レーザ光を集光してディスク面上に入射する。フォーカスコイル２１１ａ，２１１ｂの外側には、磁石２１５ａ，２１５ｂが配置され、両者の間に磁界が形成されている。このように構成された駆動機構は、フォーカスコイル２１１ａ，２１１ｂに電流Ｉが流れた場合、磁石２１５ａ，２１５ｂが形成する磁界によって電磁力が働き、これにより可動部２１２を軸２１３に摺動させることによってディスク面に対して垂直方向に可動させることができる。フォーカスコイル２１１ａ，２１１ｂに流れる電流の方向及び大きさ等により、電磁力の方向及び強さ、即ち、光ピックアップのフォーカス方向の動きを制御することができる。
【００３５】
このとき、フォーカスコイル２１１ａ，２１１ｂに流れる電流により発生する磁界がフォーカスコイル２１１ａ，２１１ｂの外側へ漏れる。また、磁石２１５ａ，２１５ｂからも磁界が発生しており、これらの磁界が漏れ磁界となり、光磁気ディスクの再生時のノイズ成分となる。
【００３６】
図３は、図２（ａ）に示す位置Ａにおける断面の測定領域での漏れ磁界の強度分布（磁束密度）をシミュレーションした結果を示す図である。図３において、磁束密度が１〜２（×４．９×１０−７Ｗｂ／ｍ２（４．９×１０−４Ｇ））内に位置する点Ｆは、対物レンズ２１４の焦点位置、即ち、ディスクが配置される位置を示し、一点鎖線Ｃ，Ｄは、図２（ｂ）における一点鎖線Ｃ，Ｄと対応する位置を示す。図２（ｂ）に示すコイル２１１ａ，２１１ｂ近傍において漏れ磁界が最も強く、これにより、焦点位置である点Ｆにも漏れ磁界が発生している。
【００３７】
このように、フォーカス及びトラッキングの２軸アクチュエータには、磁石が使われているため、どうしても磁気回路以外への漏れ磁界が生じてしまう。これを小さくするためにはヨークを厚くしたり、磁石２１５ａ，２１５ｂのバランスを工夫したり、又は駆動回路自体を対物レンズからなるべく離して配置する等のことによりある程度は軽減することができるが、２軸アクチュエータ自体の小型化等の障害となる。従って、電磁力を駆動力とする２軸アクチュエータを使用した場合、図３に示すような漏れ磁界が発生する。
【００３８】
このような記録トラック以外の領域の不揃いな磁化による影響及びアクチュエータからの漏れ磁界による影響による問題を解決すべく、本願発明者等が鋭意実験研究した結果、少なくとも記録トラック以外の領域を外部磁界の影響をキャンセルする方向に一様に磁化することにより、それぞれの影響をキャンセルし、ノイズを低減して良好な再生特性を得ることができることを見出した。即ち、ディスク記録／再生装置に装着された状態で印加される漏れ磁界の向きに対して逆方向に磁化の方向が揃えられて一様に磁化されるような処理を光磁気ディスクの初期化処理（初期化フォーマット）として施すことにより、初期状態における磁化が不揃いなまま残ることによる影響及び光学ピックアップを制御する２軸アクチュエータ等による漏れ磁界からの影響をキャンセルすることができる。
【００３９】
図４（ａ）及び図４（ｂ）は、本実施の形態の効果を示す図であって、グルーブ記録の光磁気ディスクの初期化処理として、アクチュエータからの漏れ磁界（外部磁界）の方向とは反対方向に一様に磁化した本実施の形態の光磁気ディスク（以下、実施例１、２という。）と、漏れ磁界の方向と同様の方向に磁化した従来の光磁気ディスク（以下、比較例１、２という。）とのビット・エラーレートを比較して示すグラフ図である。
【００４０】
図４（ａ）及び図４（ｂ）は、光磁気ディスクに印加される外部磁化の方向が異なる場合を示す。また、図４において、縦軸はビット・エラーレート（ビット誤り比：単位時間内で誤ったビット数と、その時間内で取り扱ったビットの全数との比）、横軸はディスク上においてバラツキを調べるために任意に選んだ測定位置を示す。また、実施例１及び実施例２は、外部磁化の方向とは反対方向に磁化されるような同一極性（符号）のデータを書き込んだものである。また、比較例１及び２は、外部磁化の方向と同一方向に磁化されるような同一極性（符号）のデータを書き込んだものである。
【００４１】
図４（ａ）及び図４（ｂ）に示すように、外部磁化の方向がいずれの場合であっても、漏れ磁界の方向と反対方向に一様に磁化した実施例１、２は、比較例１、２に比して、ビット・エラーレートが１桁以上小さくなっているのがわかる。このように、単に一様に磁化しただけでは、磁化が不揃いなまま残ることによる影響は取り除くことができるものの、外部磁化の影響により、ビット・エラーが生じてしまう。そこで、実施例１、２に示すように、外部磁界の方向と反対方向に磁化する必要がある。
【００４２】
本実施の形態においては、グルーブ記録の場合について説明したが、ランド記録の場合においても漏れ磁界の方向とは逆方向にランドを一様に磁化しておくことにより、同様の効果を得ることができる。更に、記録トラック以外を磁化する本実施の形態の光磁気ディスクの初期化処理は、例えば、光磁気ディスクの製造工程における最終工程、又は出荷前等に行うことができる。
【００４３】
ディスクを所定の方向に一様に磁化する方法としては、例えば、ディスクの磁性膜のキュリー点を超え、一方向に磁界をかけた高温の炉に光磁気ディスクを入れ、瞬間的にディスクを高温にし、磁性膜の磁化方向を揃える上述のバルク・イレース方法を用いることができる。このバルク・イレース方法では、ディスクの全面が一様に磁化される。この際、予め光磁気ディスクのドライブ装置の漏れ磁界の方向とは逆向きに磁化するか、又はこのように初期化処理して磁化した方向とは反対方向の漏れ磁界を有するドライブで記録・再生行うことにより本実施の形態の効果を奏する。また、他の方法としては、ドライブ装置により、ディスクの記録トラック以外の領域に対し、外部磁化の方向とは反対の方向になるような同一極性（符号）の信号を書き込むことにより、記録トラック以外の領域を外部磁化の方向とは反対方向に磁化することができる。
【００４４】
次に、本発明の第２の実施の形態について説明する。第１の実施の形態においては、光磁気ディスクの初期化処理として、記録トラック以外の領域を外部磁化の影響をキャンセルする方向に一様に磁化するものであったが、本実施の形態は、記録トラック以外の領域に変調伝達関数ＭＴＦ（ｍｏｄｕｌａｔｉｏｎ　ｔｒａｎｓｆｅｒ　ｆｕｎｃｔｉｏｎ）を超えた周波数成分を有する記録パターンを書き込むものである。
【００４５】
上述した如く、光磁気ディスクは、製膜直後の初期状態においては、磁化方向が不揃いなまま残り、再生後も記録トラック以外の領域では磁化方向が不揃いなままとなり、再生信号を劣化させる。このような記録トラック以外の領域からの第２の方法として、本願発明者等は、光磁気ディスクの少なくとも記録トラック以外の領域に、光学ピックアップのＭＴＦを超えた周波数成分を有する記録パターンを書き込むことにより、再生特性を向上させることを見出した。
【００４６】
ここで、初期化処理として光磁気ディスクに書き込む初期パターンとして、少なくとも記録トラック以外の領域、例えば、グルーブ記録の場合はランド、ランド記録の場合はグルーブに短い初期パターンを記録するが、この信号の周波数が光学ピックアップのＭＴＦ以下の場合は、図５に示すように、記録パターンの再生時に、書き込んだ初期パターンによる信号が再生信号へ漏れ込んでしまう。図５は、グルーブ記録の光磁気ディスクに対して、ランドにＭＴＦ以下である周期８Ｔの初期パターンを書き込んで初期化処理した後、周期２Ｔのデータを記録し、再生した際の再生信号のスペクトル（ＳＰ３）を示すグラフ図である。図５及び後述する図６には、比較のため、ランドを一様な方向に磁化させた光磁気ディスクに、周期２Ｔで記録した場合の図１に示す再生信号のスペクトル（ＳＰ１）も合わせて示す。また、図５及び後述する図６において、横軸は周波数を示し、縦軸は信号レベルを示す。
【００４７】
図５に示すように、ノイズ成分は初期状態に比して低減されるものの、書き込みパターンにより、周波数１〜１．５ＭＨｚの位置に、再生信号の周期８Ｔに対応する大きなノイズを示すピークが見られる。
【００４８】
一方、図６は、グルーブ記録の光磁気ディスクに対して、ランドに、ＭＴＦ以上である周期２Ｔの初期パターンを書き込んで初期化処理した後、周期２Ｔで記録し、再生した際の再生信号のスペクトル（ＳＰ４）を示すグラフ図である。図５に示すように、ＭＴＦ以上の周波数成分の記録パターンが初期パターンとして記録されているため、再生信号に初期パターンが漏れることなくノイズ成分を低減することができる。
【００４９】
以下、初期パターンとして、光学ピックアップのＭＴＦを超える周波数成分を有する記録パターンを書き込む理由について詳しく説明する。ＤＷＤＤ等の磁気超解像ディスクの場合、線密度が光学ピックアップのＭＴＦ以上のマークを記録・再生することが可能であるが、半径方向のトラックピッチはクロストーク及びクロスライトによって制限される。しかし、クロスライトに関しては、記録トラックの間にグルーブ記録の場合はランド、ランド記録の場合はグルーブを挟むことにより大幅にその影響を軽減できる。また、クロストークに関しては、ＤＶＤＤ等の磁気超解像では、ディスクがある一定温度以上にならないと記録マークが拡大しないため、グルーブ記録の場合はランド、ランド記録の場合はグルーブ、即ち、記録トラック以外の領域の光学ピックアップのＭＴＦ以上の周波数成分を有する信号はみえてこない。
【００５０】
しかしながら、光学ピックアップのＭＴＦより小さい周波数成分を有する信号に関しては、そのまま見えてしまうため、それがノイズ成分となり、再生信号のＳＮ比を劣化させ、狭トラックピッチ化する際の問題となる。そこで、記録トラック以外の領域からのノイズ成分を低減する他の方法として、光磁気ディスクの記録トラック以外の領域に対し、ＭＴＦ以上の周波数成分の繰り返し初期パターンを書くことにより、再生信号では見えることなく、クロストークもなく、またノイズを低減することができる。
【００５１】
次に、このような本実施の形態の光磁気ディスクの製造方法として、記録トラック以外の領域、例えばグルーブ記録の場合はランドに初期パターンとして繰り返しパターンを書く方法、即ち、ランドにトラッキングをかける方法について説明する。
【００５２】
図７に、トラッキング・サーボをかける際にトラッキング・エラー信号として使用されるＰｕｌｌ−Ｉｎ（プル・イン）信号及びＰｕｓｈ−Ｐｕｌｌ（プッシュ・プル）信号の関係を示すグラフ図である。図７において、トラッキング・エラー（プッシュ・プル）信号ＴＥ１は、ディスク上のグルーブで反射回折された光をトラック中心に対して対称に配置された２分割フォトダイオード上の２つの受光部での出力差を示す信号であり、プル・イン信号ＴＥ３は、トラッキング制御の向きを合わせるための信号である。また、縦軸は、トラッキング・エラー信号ＴＥ１のグルーブ位置での光量レベルを０とした時の光量レベルの相対値を示し、横軸は、ディスクの半径方向の位置を示す。
【００５３】
破線で示すトラッキング・エラー信号ＴＥ１を用いてグルーブにトラッキングをかけるように設計されたドライブ装置を使用する場合、電気的にトラッキング・エラー信号ＴＥ１を反転させることにより、見かけ上、実線で示すようなトラッキング・エラー信号ＴＥ２を得ることができ、この状態でトラッキング・サーボをかければ本来記録領域ではないランドにトラッキングすることが容易にできる。
【００５４】
図８は、上述の第１の実施の形態及び本第２の実施の形態における効果を示す図であって、光磁気ディスクの再生信号のビット・エラーレートを示すグラフ図である。図８において、横軸は、光磁気ディスクの初期化方法を示し、ＳＰ１１は、製膜直後の磁化方向がランダムな状態である初期状態であるもの、ＳＰ１２は、上述の第１の実施の形態の実施例であり、漏れ磁界の方向と逆方向に一様に磁化したもの（初期化状態の磁化方向と漏れ磁界の方向とが逆向きになるようにしたもの）、ＳＰ１３は、従来例であり、漏れ磁界の方向と同様の方向に一様に磁化したもの（初期化処理の磁化方向と漏れ磁界の方向とが同一になるようにしたもの）、ＳＰ１４は、本第２の実施の形態の実施例であり、記録トラック以外の領域にＭＴＦより高い周波数である周期２Ｔで繰り返しパターンを記録したもの、ＳＰ１５及びＳＰ１６は、記録トラック以外の領域に、夫々ＭＴＦより低い周波数である周期８Ｔで繰り返しパターンを記録したもの、及びランダムパターンを記録したものに対して、周期２Ｔでデータ記録し、再生した際のビット・エラーレートを測定した結果を示すものである。なお、全てのサンプルＳＰ１１乃至ＳＰ１６において、測定バラツキを調べるために任意に選んだ１０点の測定位置の測定結果を示す。
【００５５】
図８に示すように、記録トラック以外の領域において、磁化の方向がランダムなもの（ＳＰ１１）、一様に磁化されているものの、外部磁化（漏れ磁界）の方向と同一方向のもの（ＳＰ１３）、ＭＴＦより低い周波数の繰り返しパターンが記録されているもの（ＳＰ１５）は、ビット・エラーレートが大きい。これらに対して、本発明を適用した外部磁化の方向とは逆向きに磁化した実施例ＳＰ１２及びＭＴＦより高い周波数の繰り返しパターンが記録された実施例ＳＰ１４はいずれも他のサンプルに比してビット・レートが低くなっている。また、図８において、各サンプルにおいて同一位置で測定した結果を同一線上に示すものであるが、いずれの位置においても同様な結果が得られた。
【００５６】
なお、本実施の形態においても、グルーブ記録の場合について説明したが、ランド記録の場合においてもグルーブにＭＴＦ以上の周波数成分を有するパターンを繰り返し記録することにより同様の効果を得ることができることはいうまでもない。
【００５７】
更に、ＭＴＦ以上の周波数成分を有する初期パターンを書き込む本実施の形態の光磁気ディスクの初期化処理は、例えば、光磁気ディスクの製造工程における最終工程、若しくは出荷前、又は各使用者が使用前にドライブ装置を利用する等して行うことができる。
【００５８】
このように、本発明は、ＤＷＤＤ等の磁気超解像と併用することにより、光学ピックアップの性能を上げることなく、狭トラックピッチ化が可能となる。このような上述の第１及び本第２の実施の形態における光磁気ディスクの具体例としては、いわゆるミニディスクＭＤ（登録商標）がある。以下、本実施の形態の具体例として、このミニディスクについて詳細に説明する。ここでは、特に、通常用いられる記録形式とは異なる形式を適用することによって、既存の光磁気ディスクと同じ記録媒体を用いて、その記録容量を増加することを実現したディスクを「次世代ＭＤ１」とし、高密度記録可能な新規記録媒体に対して新規記録形式を適用することにより、記録容量の増加を実現したディスクを「次世代ＭＤ２」と称する。
【００５９】
ここで、本具体例の詳細な説明に先立ち、これらの各フォーマットの光磁気ディスク、すなわち、既存のＭＤ、次世代ＭＤ１、及び次世代ＭＤ２について説明する。
【００６０】
１．ディスク仕様及びエリア構造
まず、既存のミニディスクＭＤ（登録商標）の仕様について図９を用いて説明する。ミニディスク（オーディオＭＤ及びＭＤ−ＤＡＴＡ）の物理フォーマットは、以下のように定められている。トラックピッチは、１．６μｍ、ビット長は、０．５９μｍ／ｂｉｔとなる。また、レーザ波長λは、λ＝７８０ｎｍであり、光学ヘッドの開口率は、ＮＡ＝０．４５としている。記録方式としては、グルーブ（ディスク盤面上の溝）をトラックとして記録再生に用いるグルーブ記録方式を採用している。また、アドレス方式は、ディスク盤面上にシングルスパイラルのグルーブを形成し、このグルーブの両側に対してアドレス情報としてのウォブル（Ｗｏｂｂｌｅ）を形成したウォブルドグルーブを利用する方式を採っている。なお、本明細書では、ウォブルとして記録される絶対アドレスをＡＤＩＰ（Ａｄｄｒｅｓｓ　ｉｎ　Ｐｒｅｇｒｏｏｖｅ）ともいう。
【００６１】
従来のミニディスクでは、記録データの変調方式としてＥＦＭ（８−１４変換）変調方式が採用されている。また、誤り訂正方式としては、ＡＣＩＲＣ（Ａｄｖａｎｃｅｄ　Ｃｒｏｓｓ　Ｉｎｔｅｒｌｅａｖｅ　Ｒｅｅｄ−Ｓｏｌｏｍｏｎ　Ｃｏｄｅ）を用いている。また、データインターリーブには、畳み込み型を採用している。これにより、データの冗長度は、４６．３％となっている。
【００６２】
また、従来のミニディスクにおけるデータの検出方式は、ビットバイビット方式であって、ディスク駆動方式としては、ＣＬＶ（Ｃｏｎｓｔａｎｔ　Ｌｉｎｅａｒ　Ｖｅｒｏｃｉｔｙ）が採用されている。ＣＬＶの線速度は、１．２ｍ／ｓである。
【００６３】
記録再生時の標準のデータレートは、１３３ｋＢ／ｓ、記録容量は、１６４ＭＢ（ＭＤ−ＤＡＴＡでは、１４０ＭＢ）である。また、データの最小書換単位（クラスタ）は、３２個のメインセクタと４個のリンクセクタによる３６セクタで構成されている。
【００６４】
続いて、次世代ＭＤ１に関して説明する。次世代ＭＤ１は、上述した従来のミニディスクと記録媒体の物理的仕様は、同一である。そのため、トラックピッチは、１．６μｍ、レーザ波長λは、λ＝７８０ｎｍであり、光学ヘッドの開口率は、ＮＡ＝０．４５である。記録方式としては、グルーブ記録方式を採用している。また、アドレス方式は、ＡＤＩＰを利用する。このように、ディスクドライブ装置における光学系の構成やＡＤＩＰアドレス読出方式、サーボ処理は、従来のミニディスクと同様であるため、従来ディスクとの互換性が達成されている。
【００６５】
次世代ＭＤ１は、記録データの変調方式として、高密度記録に適合したＲＬＬ（１−７）ＰＰ変調方式（ＲＬＬ；Ｒｕｎ　Ｌｅｎｇｔｈ　Ｌｉｍｉｔｅｄ、ＰＰ：Ｐａｒｉｔｙ　ｐｒｅｓｅｒｖｅ／Ｐｒｏｈｉｂｉｔ　ｒｍｔｒ（ｒｅｐｅａｔｅｄ　ｍｉｎｉｍｕｍ　ｔｒａｎｓｉｔｉｏｎ　ｒｕｎｌｅｎｇｔｈ））を採用している。また、誤り訂正方式としては、より訂正能力の高いＢＩＳ（Ｂｕｒｓｔ　Ｉｎｄｉｃａｔｏｒ　Ｓｕｂｃｏｄｅ）付きのＲＳ−ＬＤＣ（Ｒｅｅｄ　Ｓｏｌｏｍｏｎ−Ｌｏｎｇ　Ｄｉｓｔａｎｃｅ　Ｃｏｄｅ）方式を用いている。
【００６６】
具体的には、ホストアプリケーション等から供給されるユーザデータの２０４８バイトに４バイトのＥＤＣ（Ｅｒｒｏｒ　Ｄｅｔｅｃｔｉｏｎ　Ｃｏｄｅ）を付加した２０５２バイトを１セクタ（データセクタ、後述するディスク上の物理セクタとは異なる）とし、図１０に示すように、Ｓｅｃｔｏｒ０〜Ｓｅｃｔｏｒ３１の３２セクタを３０４列×２１６行のブロックにまとめる。ここで、各セクタの２０５２バイトに対しては、所定の疑似乱数との排他的論理和（Ｅｘ−ＯＲ）をとるようなスクランブル処理が施される。このスクランブル処理されたブロックの各列に対して３２バイトのパリティを付加して、３０４列×２４８行のＬＤＣ（Ｌｏｎｇ　Ｄｉｓｔａｎｃｅ　Ｃｏｄｅ）ブロックを構成する。このＬＤＣブロックにインターリーブ処理を施して、１５２列×４９６行のブロック（Ｉｎｔｅｒｌｅａｖｅｄ　ＬＤＣ　Ｂｌｏｃｋ）とし、これを図１１に示すように３８列ずつ１列の上記ＢＩＳを介して配列することで１５５列×４９６行の構造とし、さらに先頭位置に２．５バイト分のフレーム同期コード（Ｆｒａｍｅ　Ｓｙｎｃ）を付加して、１行を１フレームに対応させ、１５７．５バイト×４９６フレームの構造とする。この図１１の各行が、後述する図１７に示す１レコーディングブロック（クラスタ）内のデータ領域のＦｒａｍｅ１０〜Ｆｒａｍｅ５０５の４９６フレームに相当する。
【００６７】
以上のデータ構造において、データインターリーブは、ブロック完結型とする。これによりデータの冗長度は、２０．５０％になる。また、データの検出方式として、ＰＲ（１，２，１）ＭＬによるビタビ復号方式を用いる。
【００６８】
ディスク駆動方式には、ＣＬＶ方式を用い、その線速度は、２．４ｍ／ｓとする。記録再生時の標準データレートは、４．４ＭＢ／ｓである。この方式を採用することにより、総記録容量を３００ＭＢにすることができる。変調方式をＥＦＭからＲＬＬ（１−７）ＰＰ変調方式とすることによって、ウインドウマージンが０．５から０．６６６となるため、１．３３倍の高密度化が実現できる。また、データの最小書換単位であるクラスタは、１６セクタ、６４ｋＢで構成される。このように記録変調方式をＣＩＲＣ方式からＢＩＳ付きのＲＳ−ＬＤＣ方式及びセクタ構造の差異とビタビ復号を用いる方式にすることで、データ効率が５３．７％から７９．５％となるため、１．４８倍の高密度化が実現できる。
【００６９】
これらを総合すると、次世代ＭＤ１は、記録容量を従来ミニディスクの約２倍である３００ＭＢにすることができる。
【００７０】
一方、次世代ＭＤ２は、例えば、磁壁移動検出方式（ＤＷＤＤ：Ｄｏｍａｉｎ　Ｗａｌｌ　Ｄｉｓｐｌａｃｅｍｅｎｔ　Ｄｅｔｅｃｔｉｏｎ）等の高密度化記録技術を適用した記録媒体であって、上述した従来ミニディスク及び次世代ＭＤ１とは、物理フォーマットが異なっている。次世代ＭＤ２は、トラックピッチが１．２５μｍ、ビット長が０．１６μｍ／ｂｉｔであり、線方向に高密度化されている。
【００７１】
また、従来ミニディスク及び次世代ＭＤ１との互換を採るため、光学系、読出方式、サーボ処理等は、従来の規格に準じて、レーザ波長λは、λ＝７８０ｎｍ、光学ヘッドの開口率は、ＮＡ＝０．４５とする。記録方式は、グルーブ記録方式、アドレス方式は、ＡＤＩＰを利用した方式とする。また、筐体外形も従来ミニディスク及び次世代ＭＤ１と同一規格とする。
【００７２】
但し、従来ミニディスク及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更した点が特徴的である。具体的には、グルーブの溝深さを１６０ｎｍ〜１８０ｎｍ、傾斜を６０°〜７０°、幅を６００ｎｍ〜８００ｎｍの範囲と定める。
【００７３】
また、次世代ＭＤ２は、記録データの変調方式として、高密度記録に適合したＲＬＬ（１−７）ＰＰ変調方式（ＲＬＬ；Ｒｕｎ　Ｌｅｎｇｔｈ　Ｌｉｍｉｔｅｄ、ＰＰ：Ｐａｒｉｔｙ　ｐｒｅｓｅｒｖｅ／Ｐｒｏｈｉｂｉｔ　ｒｍｔｒ（ｒｅｐｅａｔｅｄ　ｍｉｎｉｍｕｍ　ｔｒａｎｓｉｔｉｏｎ　ｒｕｎｌｅｎｇｔｈ））を採用している。また、誤り訂正方式としては、より訂正能力の高いＢＩＳ（Ｂｕｒｓｔ　Ｉｎｄｉｃａｔｏｒ　Ｓｕｂｃｏｄｅ）付きのＲＳ−ＬＤＣ（Ｒｅｅｄ　Ｓｏｌｏｍｏｎ−Ｌｏｎｇ　Ｄｉｓｔａｎｃｅ　Ｃｏｄｅ）方式を用いている。
【００７４】
データインターリーブは、ブロック完結型とする。これによりデータの冗長度は、２０．５０％になる。またデータの検出方式は、ＰＲ（１，−１）ＭＬによるビタビ復号方式を用いる。また、データの最小書換単位であるクラスタは、１６セクタ、６４ｋＢで構成されている。
【００７５】
ディスク駆動方式には、ＺＣＡＶ方式を用い、その線速度は、２．０ｍ／ｓとする。記録再生時の標準データレートは、９．８ＭＢ／ｓである。したがって、次世代ＭＤ２では、ＤＷＤＤ方式及びこの駆動方式を採用することにより、総記録容量を１ＧＢにできる。
【００７６】
図１２は、次世代ＭＤ１の盤面上のエリア構造例を模式的に示す図である。次世代ＭＤ１は、従来ミニディスクと同じ媒体であって、ディスクの最内周側は、プリマスタードエリアとして、ＰＴＯＣ（Ｐｒｅｍａｓｔｅｒｄ　Ｔａｂｌｅ　Ｏｆ　Ｃｏｎｔｅｎｔｓ）が設けられている。ここには、ディスク管理情報が物理的な構造変形によるエンボスピットとして記録されている。
【００７７】
プリマスタードエリアより外周は、光磁気記録可能なレコーダブルエリアとされ、記録トラックの案内溝としてのグルーブが形成された記録再生可能領域である。このレコーダブルエリアの最内周側は、ＵＴＯＣ（Ｕｓｅｒ　Ｔａｂｌｅ　Ｏｆ　Ｃｏｎｔｅｎｔｓ）領域であって、このＵＴＯＣ領域には、ＵＴＯＣ情報が記述されるとともに、プリマスタードエリアとの緩衝エリアや、レーザ光の出力パワー調整等のために用いられるパワーキャリブレーションエリアが設けられている。
【００７８】
次世代ＭＤ２は、図１３に示すように、高密度化を図るためにプリピットを用いないが、次世代ＭＤ２のＰＴＯＣ相当情報は、グルーブのウォブルにより書き込むことが考慮されている。例えば、次世代ＭＤ２には、レコーダブルエリアのさらに内周領域に、著作権保護のための情報、データ改竄チェックのための情報、他の非公開情報等を記録するユニークＩＤエリア（Ｕｎｉｑｕｅ　ＩＤ；ＵＩＤ）が設けられている。このＵＩＤエリアは、次世代ＭＤ２に適用されるＤＷＤＤ方式とは異なる記録方式で記録されている。
【００７９】
なお、ここでは、次世代ＭＤ１及び次世代ＭＤ２に音楽データ用のオーディオトラックとデータトラックとをディスク上に混在記録することもできる。この場合、例えば、図１４に示すように、データエリアに少なくとも１つのオーディオトラックが記録されたオーディオ記録領域ＡＡと、少なくとも１つのデータトラックが記録されたＰＣ用データ記録領域ＤＡとがそれぞれ任意の位置に形成されることになる。
【００８０】
一連のオーディオトラックやデータトラックは、ディスク上で必ずしも物理的に連続して記録される必要はなく、図１４に示すように複数のパーツに分割して記録されていてもよい。パーツとは、物理的に連続して記録される区間を示す。すなわち、図１４のように物理的に離れた２つのＰＣデータ記録領域が存在する場合でも、データトラックの数としては、１つの場合もあり、複数の場合もある。但し、図１４は、次世代ＭＤ１の物理的仕様に関して示したものであるが、次世代ＭＤ２に関しても同様に、オーディオ記録領域ＡＡとＰＣ用データ記録領域ＤＡとを混在して記録することができる。
【００８１】
上述した物理的仕様を有する次世代ＭＤ１と次世代ＭＤ２との互換性を有した記録再生装置の具体例に関しては、後段で詳細に説明する。
【００８２】
２．ディスクの管理構造
図１５及び図１６に基づいて、本具体例のディスクの管理構造を説明する。図１５は、次世代ＭＤ１のデータ管理構造を示したものであり、図１６は、次世代ＭＤ２のデータ管理構造を示したものである。
【００８３】
次世代ＭＤ１では、上述したように、従来のミニディスクと同一の媒体であるため、次世代ＭＤ１では、従来ミニディスクで採用されているように書換不可能なエンボスピットによりＰＴＯＣが記録されている。このＰＴＯＣには、ディスクの総容量、ＵＴＯＣ領域におけるＵＴＯＣ位置、パワーキャリブレーションエリアの位置、データエリアの開始位置、データエリアの終了位置（リードアウト位置）等が管理情報として記録されている。
【００８４】
次世代ＭＤ１では、ＡＤＩＰアドレス００００〜０００２には、レーザの書込出力を調整するためのパワーキャリブレーションエリア（Ｒｅｃ　Ｐｏｗｅｒ　Ｃａｌｉｂｒａｔｉｏｎ　Ａｒｅａ）が設けられている。続く０００３〜０００５には、ＵＴＯＣが記録される。ＵＴＯＣには、トラック（オーディオトラック／データトラック）の記録・消去等に応じて書き換えられる管理情報が含まれ、各トラック及びトラックを構成するパーツの開始位置、終了位置等を管理している。また、データエリアにおいて未だトラックが記録されていないフリーエリア、すなわち書込可能領域のパーツも管理している。ＵＴＯＣ上では、ＰＣ用データ全体をＭＤオーディオデータによらない１つのトラックとして管理している。そのため、仮にオーディオトラックとデータトラックとを混在記録したとしても、複数のパーツに分割されたＰＣ用データの記録位置を管理できる。
【００８５】
また、ＵＴＯＣデータは、このＵＴＯＣ領域における特定のＡＤＩＰクラスタに記録され、ＵＴＯＣデータは、このＡＤＩＰクラスタ内のセクタ毎に、その内容が定義されている。具体的には、ＵＴＯＣセクタ０（このＡＤＩＰクラスタ内の先頭のＡＤＩＰセクタ）は、トラックやフリーエリアにあたるパーツを管理しており、ＵＴＯＣセクタ１及びセクタ４は、トラックに対応した文字情報を管理している。また、ＵＴＯＣセクタ２には、トラックに対応した記録日時を管理する情報が書き込まれる。
【００８６】
ＵＴＯＣセクタ０は、記録されたデータや記録可能な未記録領域、さらにデータの管理情報等が記録されているデータ領域である。例えば、ディスクにデータを記録する際、ディスクドライブ装置は、ＵＴＯＣセクタ０からディスク上の未記録領域を探し出し、ここにデータを記録する。また、再生時には、再生すべきデータトラックが記録されているエリアをＵＴＯＣセクタ０から判別し、そのエリアにアクセスして再生動作を行う。
【００８７】
なお、次世代ＭＤ１では、ＰＴＯＣ及びＵＴＯＣは、従来のミニディスクシステムに準拠する方式、ここではＥＦＭ変調方式により変調されたデータとして記録されている。したがって、次世代ＭＤ１は、ＥＦＭ変調方式により変調されたデータとして記録された領域と、ＲＳ−ＬＤＣ及びＲＬＬ（１−７）ＰＰ変調方式で変調された高密度データとして記録された領域とを有することになる。
【００８８】
また、ＡＤＩＰアドレス００３２に記述されるアラートトラックには、従来ミニディスクのディスクドライバ装置に次世代ＭＤ１を挿入したとしても、この媒体が従来ミニディスクのディスクドライバ装置に対応していないことを知らせるための情報が格納されている。この情報は、「このディスクは、この再生装置に対応していないフォーマットです。」等の音声データ、或いは警告音データとしてもよい。また、表示部を備えるディスクドライバ装置であれば、この旨を表示するためのデータであってもよい。このアラートトラックは、従来ミニディスクに対応したディスクドライバ装置でも読取可能なように、ＥＦＭ変調方式によって記録されている。
【００８９】
ＡＤＩＰアドレス００３４には、次世代ＭＤ１のディスク情報を表したディスクディスクリプションテーブル（Ｄｉｓｃ　Ｄｉｓｃｒｉｐｔｉｏｎ　Ｔａｂｌｅ；ＤＤＴ）が記録される。ＤＤＴには、フォーマット形式、ディスク内論理クラスタの総数、媒体固有のＩＤ、このＤＤＴの更新情報、不良クラスタ情報等が記述される。
【００９０】
ＤＤＴ領域からは、ＲＳ−ＬＤＣ及びＲＬＬ（１−７）ＰＰ変調方式で変調された高密度データとして記録されるため、アラートトラックとＤＤＴとの間には、ガードバンド領域が設けられている。
【００９１】
また、ＲＬＬ（１−７）ＰＰ変調方式で変調された高密度データが記録される最も若いＡＤＩＰアドレス、すなわち、ＤＤＴの先頭アドレスには、ここを００００とする論理クラスタ番号（Ｌｏｇｉｃａｌ　Ｃｌｕｓｔｅｒ　Ｎｕｍｂｅｒ；ＬＣＮ）が付される。１論理クラスタは、６５，５３６バイトであり、この論理クラスタが読み書き最小単位となる。なお、ＡＤＩＰアドレス０００６〜００３１は、リザーブされている。
【００９２】
続くＡＤＩＰアドレス００３６〜００３８には、認証によって公開可能となるセキュアエリア（Ｓｅｃｕｒｅ　Ａｒｅａ）が設けられている。このセキュアエリアによって、データを構成する各クラスタの公開可・不可等の属性を管理している。特に、このセキュアエリアでは、著作権保護のための情報、データ改竄チェックのための情報等を記録する。また、このほかの各種の非公開情報を記録することができる。この公開不可領域は、特別に許可された特定外部機器のみが限定的にアクセスできるようになっており、このアクセス可能な外部機器を認証する情報も含まれる。
【００９３】
ＡＤＩＰアドレス００３８からは、書込及び読取自由なユーザエリア（Ｕｓｅｒ　Ａｒｅａ）（任意データ長）とスペアエリア（Ｓｐａｒｅ　Ａｒｅａ）（データ長８）とが記述される。ユーザエリアに記録されたデータは、ＬＣＮの昇順に並べたとき、先頭から２，０４８バイトを１単位としたユーザセクタ（Ｕｓｅｒ　Ｓｅｃｔｏｒ）に区切られており、ＰＣ等の外部機器からは、先頭のユーザセクタを００００とするユーザセクタ番号（Ｕｓｅｒ　Ｓｅｃｔｏｒ　Ｎｕｍｂｅｒ；ＵＳＮ）を付してＦＡＴファイルシステムにより管理されている。
【００９４】
続いて、次世代ＭＤ２のデータ管理構造について図１６を用いて説明する。次世代ＭＤ２は、ＰＴＯＣエリアを持たない。そのため、ディスクの総容量、パワーキャリブレーションエリアの位置、データエリアの開始位置、データエリアの終了位置（リードアウト位置）等のディスク管理情報は、ＰＤＰＴ（ＰｒｅＦｏｒｍａｔ　Ｄｉｓｃ　Ｐａｒａｍｅｔｅｒ　Ｔａｂｌｅ）として全てＡＤＩＰ情報に含まれて記録されている。データは、ＢＩＳ付きのＲＳ−ＬＤＣ及びＲＬＬ（１−７）ＰＰ変調方式で変調され、ＤＷＤＤ方式で記録されている。
【００９５】
また、リードインエリア及びリードアウトエリアには、レーザパワーキャリブレーションエリア（Ｐｏｗｅｒ　Ｃａｒｉｂｕｒａｔｉｏｎ　Ａｒｅａ；ＰＣＡ）が設けられる。次世代ＭＤ２では、ＰＣＡに続くＡＤＩＰアドレスを００００としてＬＣＮを付ける。
【００９６】
また、次世代ＭＤ２では、次世代ＭＤ１におけるＵＴＯＣ領域に相当するコントロール領域が用意されている。図１６には、著作権保護のための情報、データ改竄チェックのための情報、他の非公開情報等を記録するユニークＩＤエリア（Ｕｎｉｑｕｅ　ＩＤ；ＵＩＤ）が示されているが、実際には、このＵＩＤエリアは、リードイン領域のさらに内周位置に、通常のＤＷＤＤ方式とは異なる記録方式で記録されている。
【００９７】
次世代ＭＤ１及び次世代ＭＤ２のファイルは、ともにＦＡＴファイルシステムに基づいて管理される。例えば、各データトラックは、それぞれ独自にＦＡＴファイルシステムを持つ。或いは、複数のデータトラックにわたって１つのＦＡＴファイルシステムを記録するようにもできる。
【００９８】
３．ＡＤＩＰセクタ／クラスタ構造とデータブロック
続いて、次世代ＭＤ１及び次世代ＭＤ２のＡＤＩＰセクタ構造とデータブロックとの関係について図１７を用いて説明する。従来のミニディスク（ＭＤ）システムでは、ＡＤＩＰとして記録された物理アドレスに対応したクラスタ／セクタ構造が用いられている。本具体例では、説明の便宜上、ＡＤＩＰアドレスに基づいたクラスタを「ＡＤＩＰクラスタ」と記す。また、次世代ＭＤ１及び次世代ＭＤ２におけるアドレスに基づくクラスタを「レコーディングブロック（Ｒｅｃｏｒｄｉｎｇ　Ｂｌｏｃｋ）」あるいは「次世代ＭＤクラスタ」と記す。
【００９９】
次世代ＭＤ１及び次世代ＭＤ２では、データトラックは、図１７に示すようにアドレスの最小単位であるクラスタの連続によって記録されたデータストリームとして扱われ、１レコーディングブロック（１次世代ＭＤクラスタ）は、図１７に示すように１６セクタあるいは１／２ＡＤＩＰクラスタにより構成されている。
【０１００】
図１７に示す１レコーディングブロック（１次世代ＭＤクラスタ）のデータ構造としては、１０フレームのプリアンブルと、６フレームのポストアンブルと、４９６フレームのデータ部とからなる５１２フレームから構成されている。さらにこのレコーディングブロック内の１フレームは、同期信号領域と、データ、ＢＩＳ、ＤＳＶとからなる。
【０１０１】
また、１レコーディングブロックの５１２フレームのうち、有意のデータが記録される４９６フレームを１６等分した各３１フレームをアドレスユニット（Ａｄｄｒｅｓｓ　Ｕｎｉｔ）とよぶ。また、このアドレスユニットの番号をアドレスユニットナンバ（Ａｄｄｒｅｓｓ　Ｕｎｉｔ　Ｎｕｍｂｅｒ；ＡＵＮ）とよぶ。このＡＵＮは、全てのアドレスユニットに付される番号であって、記録信号のアドレス管理に使用される。
【０１０２】
次世代ＭＤ１のように、ＡＤＩＰに記述された物理的なクラスタ／セクタ構造を有する従来ミニディスクに対して、１−７ＰＰ変調方式で変調された高密度データを記録する場合、ディスクに元々記録されたＡＤＩＰアドレスと、実際に記録するデータブロックのアドレスとが一致しなくなるという問題が生じる。ランダムアクセスは、ＡＤＩＰアドレスを基準として行われるが、ランダムアクセスでは、データを読み出す際、所望のデータが記録された位置近傍にアクセスしても、記録されたデータを読み出せるが、データを書き込む際には、既に記録されているデータを上書き消去しないように正確な位置にアクセスする必要がある。そのため、ＡＤＩＰアドレスに対応付けした次世代ＭＤクラスタ／次世代ＭＤセクタからアクセス位置を正確に把握することが重要となる。
【０１０３】
そこで、次世代ＭＤ１の場合、媒体表面上にウォブルとして記録されたＡＤＩＰアドレスを所定規則で変換して得られるデータ単位によって高密度データクラスタを把握する。この場合、ＡＤＩＰセクタの整数倍が高密度データクラスタになるようにする。この考え方に基づいて、従来ミニディスクに記録された１ＡＤＩＰクラスタに対して次世代ＭＤクラスタを記述する際には、各次世代ＭＤクラスタを１／２ＡＤＩＰクラスタ区間に対応させる。
【０１０４】
したがって、次世代ＭＤ１では、従来のＭＤクラスタの１／２クラスタが最小記録単位（レコーディングブロック（Ｒｅｃｏｒｄｉｎｇ　Ｂｌｏｃｋ））として対応付けされている。
【０１０５】
一方、次世代ＭＤ２では、１クラスタが１レコーディングブロックとして扱われるようになっている。
【０１０６】
なお、本具体例では、前述したように、ホストアプリケーションから供給される２０４８バイト単位のデータブロックを１論理データセクタ（Ｌｏｇｉｃａｌ　Ｄａｔａ　Ｓｅｃｔｏｒ；ＬＤＳ）とし、このとき同一レコーディングブロック中に記録される３２個の論理データセクタの集合を論理データクラスタ（Ｌｏｇｉｃａｌ　Ｄａｔａ　Ｃｌｕｓｔｅｒ；ＬＤＣ）としている。
【０１０７】
以上説明したようなデータ構造とすることにより、次世代ＭＤデータを任意位置へ記録する際、媒体に対してタイミングよく記録できる。また、ＡＤＩＰアドレス単位であるＡＤＩＰクラスタ内に整数個の次世代ＭＤクラスタが含まれるようにすることによって、ＡＤＩＰクラスタアドレスから次世代ＭＤデータクラスタアドレスへのアドレス変換規則が単純化され、換算のための回路又はソフトウェア構成が簡略化できる。
【０１０８】
なお、図１７では、１つのＡＤＩＰクラスタに２つの次世代ＭＤクラスタを対応付ける例を示したが、１つのＡＤＩＰクラスタに３以上の次世代ＭＤクラスタを配することもできる。このとき、１つの次世代ＭＤクラスタは、１６ＡＤＩＰセクタから構成される点に限定されず、ＥＦＭ変調方式とＲＬＬ（１−７）ＰＰ変調方式におけるデータ記録密度の差や次世代ＭＤクラスタを構成するセクタ数、また１セクタのサイズ等に応じて設定することができる。
【０１０９】
続いて、ＡＤＩＰのデータ構造に関して説明する。図１８の（ａ）には、次世代ＭＤ２のＡＤＩＰのデータ構造が示され、図１８の（ｂ）には、次世代ＭＤ１のＡＤＩＰのデータ構造が示されている。
【０１１０】
次世代ＭＤ１では、同期信号と、ディスクにおけるクラスタ番号等を示すクラスタＨ（Ｃｌｕｓｔｅｒ　Ｈ）情報及びクラスタＬ（Ｃｌｕｓｔｅｒ　Ｌ）情報と、クラスタ内におけるセクタ番号等を含むセクタ情報（Ｓｅｃｔｅｒ）とが記述されている。同期信号は、４ビットで記述され、クラスタＨは、アドレス情報の上位８ビットで記述され、クラスタＬは、アドレス情報の下位８ビットで記述され、セクタ情報は、４ビットで記述される。また、後半の１４ビットには、ＣＲＣが付加されている。以上、４２ビットのＡＤＩＰ信号が各ＡＤＩＰセクタに記録されている。
【０１１１】
また、次世代ＭＤ２では、４ビットの同期信号データと、４ビットのクラスタＨ（Ｃｌｕｓｔｅｒ　Ｈ）情報、８ビットのクラスタＭ（Ｃｌｕｓｔｅｒ　Ｍ）情報及び４びっとのクラスタＬ（Ｃｌｕｓｔｅｒ　Ｌ）情報と、４ビットのセクタ情報とが記述される。後半の１８ビットには、ＢＣＨのパリティが付加される。次世代ＭＤ２でも同様に４２ビットのＡＤＩＰ信号が各ＡＤＩＰセクタに記録されている。
【０１１２】
ＡＤＩＰのデータ構造では、上述したクラスタＨ（Ｃｌｕｓｔｅｒ　Ｈ）情報、クラスタＭ（Ｃｌｕｓｔｅｒ　Ｍ）及びクラスタＬ（Ｃｌｕｓｔｅｒ　Ｌ）情報の構成は、任意に決定できる。また、ここに他の付加情報を記述することもできる。例えば、図１９に示すように、次世代ＭＤ２のＡＤＩＰ信号において、クラスタ情報を上位８ビットのクラスタＨ（Ｃｌｕｓｔｅｒ　Ｈ）と下位８ビットのクラスタＬ（Ｃｌｕｓｔｅｒ　Ｌ）とで表すようにし、下位８ビットで表されるクラスタＬに替えて、ディスクコントロール情報を記述することもできる。ディスクコントロール情報としては、サーボ信号補正値、再生レーザパワー上限値、再生レーザパワー線速補正係数、記録レーザパワー上限値、記録レーザパワー線速補正係数、記録磁気感度、磁気−レーザパルス位相差、パリティ等があげられる。
【０１１３】
４．ディスクドライブ装置
図２０及び図２１を用いて、次世代ＭＤ１及び次世代ＭＤ２の記録再生に対応したディスクドライブ装置１０の具体例について説明する。ここでは、ディスクドライブ装置１０は、パーソナルコンピュータ（以下、ＰＣと記す。）１００と接続でき、次世代ＭＤ１及び次世代ＭＤ２をオーディオデータのほか、ＰＣ等の外部ストレージとして使用できる。
【０１１４】
ディスクドライブ装置１０は、メディアドライブ部１１と、メモリ転送コントローラ１２と、クラスタバッファメモリ１３と、補助メモリ１４と、ＵＳＢインターフェイス１５，１６と、ＵＳＢハブ１７と、システムコントローラ１８と、オーディオ処理部１９とを備える。
【０１１５】
メディアドライブ部１１は、装填された従来ミニディスク、次世代ＭＤ１、及び次世代ＭＤ２等の個々のディスク９０に対する記録／再生を行う。メディアドライブ部１１の内部構成は、図２１で後述する。
【０１１６】
メモリ転送コントローラ１２は、メディアドライブ部１１からの再生データやメディアドライブ部１１に供給する記録データの送受制御を行う。クラスタバッファメモリ１３は、メディアドライブ部１１によってディスク９０のデータトラックから高密度データクラスタ単位で読み出されたデータをメモリ転送コントローラ１２の制御に基づいてバッファリングする。補助メモリ１４は、メディアドライブ部１１によってディスク９０から読み出されたＵＴＯＣデータ、ＣＡＴデータ、ユニークＩＤ、ハッシュ値等の各種管理情報や特殊情報をメモリ転送コントローラ１２の制御に基づいて記憶する。
【０１１７】
システムコントローラ１８は、ＵＳＢインターフェイス１６、ＵＳＢハブ１７を介して接続されたＰＣ（パーソナルコンピュータ）７０との間で通信可能とされ、このＰＣ７０との間の通信制御を行って、書込要求、読出要求等のコマンドの受信やステイタス情報、その他の必要情報の送信等を行うとともに、ディスクドライブ装置１０全体を統括制御している。
【０１１８】
システムコントローラ１８は、例えば、ディスク９０がメディアドライブ部１１に装填された際に、ディスク９０からの管理情報等の読出をメディアドライブ部１１に指示し、メモリ転送コントローラ１２によって読み出されたＰＴＯＣ、ＵＴＯＣ等の管理情報等を補助メモリ１４に格納させる。
【０１１９】
システムコントローラ１８は、これらの管理情報を読み込むことによって、ディスク９０のトラック記録状態を把握できる。また、ＣＡＴを読み込ませることにより、データトラック内の高密度データクラスタ構造を把握でき、ＰＣ７０からのデータトラックに対するアクセス要求に対応できる状態となる。
【０１２０】
また、ユニークＩＤやハッシュ値により、ディスク認証処理及びその他の処理を実行したり、これらの値をＰＣ７０に送信し、ＰＣ７０上でディスク認証処理及びその他の処理を実行させる。
【０１２１】
システムコントローラ１８は、ＰＣ７０から、あるＦＡＴセクタの読出要求があった場合、メディアドライブ部１１に対して、このＦＡＴセクタを含む高密度データクラスタの読出を実行する旨の信号を与える。読み出された高密度データクラスタは、メモリ転送コントローラ１２によってクラスタバッファメモリ１３に書き込まれる。但し、既にＦＡＴセクタのデータがクラスタバッファメモリ１３に格納されていた場合、メディアドライブ部１１による読出は必要ない。
【０１２２】
このとき、システムコントローラ１８は、クラスタバッファメモリ１３に書き込まれている高密度データクラスタのデータから、要求されたＦＡＴセクタのデータを読み出す信号を与え、ＵＳＢインターフェイス１５，ＵＳＢハブ１７を介して、ＰＣ７０に送信するための制御を行う。
【０１２３】
また、システムコントローラ１８は、ＰＣ７０から、あるＦＡＴセクタの書込要求があった場合、メディアドライブ部１１に対して、このＦＡＴセクタを含む高密度データクラスタの読出を実行させる。読み出された高密度データクラスタは、メモリ転送コントローラ１２によってクラスタバッファメモリ１３に書き込まれる。但し、既にこのＦＡＴセクタのデータがクラスタバッファメモリ１３に格納されていた場合は、メディアドライブ部１１による読出は必要ない。
【０１２４】
また、システムコントローラ１８は、ＰＣ７０から送信されたＦＡＴセクタのデータ（記録データ）をＵＳＢインターフェイス１５を介してメモリ転送コントローラ１２に供給し、クラスタバッファメモリ１３上で該当するＦＡＴセクタのデータの書き換えを実行させる。
【０１２５】
また、システムコントローラ１８は、メモリ転送コントローラ１２に指示して、必要なＦＡＴセクタが書き換えられた状態でクラスタバッファメモリ１３に記憶されている高密度データクラスタのデータを記録データとしてメディアドライブ部１１に転送させる。このとき、メディアドライブ部１１は、装着されている媒体が従来ミニディスクであればＥＦＭ変調方式で、次世代ＭＤ１又は次世代ＭＤ２であればＲＬＬ（１−７）ＰＰ変調方式で高密度データクラスタの記録データを変調して書き込む。
【０１２６】
なお、本具体例として示すディスクドライブ装置１０において、上述した記録再生制御は、データトラックを記録再生する際の制御であり、ＭＤオーディオデータ（オーディオトラック）を記録再生する際のデータ転送は、オーディオ処理部１９を介して行われる。
【０１２７】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【０１２８】
ディスク９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【０１２９】
メディアドライブ部１１では、転送された圧縮データをＥＦＭ変調方式又はＲＬＬ（１−７）ＰＰ変調方式で変調してディスク９０にオーディオトラックとして書き込む。
【０１３０】
メディアドライブ部１１は、ディスク９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【０１３１】
なお、この図２０に示す構成は、一例であって、例えば、ディスクドライブ装置１０をＰＣ７０に接続してデータトラックのみ記録再生する外部ストレージ機器として使用する場合は、オーディオ処理部１９は、不要である。一方、オーディオ信号を記録再生することを主たる目的とする場合、オーディオ処理部１９を備え、さらにユーザインターフェイスとして操作部や表示部を備えることが好適である。また、ＰＣ７０との接続は、ＵＳＢに限らず、例えば、ＩＥＥＥ（Ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ，Ｉｎｃ．：アメリカ電気・電子技術者協会）の定める規格に準拠した、いわゆるＩＥＥＥ１３９４インターフェイスのほか、汎用の接続インターフェイスが適用できる。
【０１３２】
続いて、従来ミニディスク、次世代ＭＤ１及び次世代ＭＤ２を記録再生するためのメディアドライブ部１１の構成を図２１を用いて、さらに詳細に説明する。
【０１３３】
メディアドライブ部１１は、従来ミニディスク、次世代ＭＤ１及び次世代ＭＤ２を記録再生するために、特に、記録処理系として、従来ミニディスクの記録のためのＥＦＭ変調・ＡＣＩＲＣエンコードを実行する構成と、次世代ＭＤ１及び次世代ＭＤ２の記録のためのＲＬＬ（１−７）ＰＰ変調・ＲＳ−ＬＤＣエンコードを実行する構成とを備える点が特徴的である。また、再生処理系として、従来ミニディスクの再生のためのＥＦＭ復調・ＡＣＩＲＣデコードを実行する構成と、次世代ＭＤ１及び次世代ＭＤ２の再生にＰＲ（１，２，１）ＭＬ及びビタビ復号を用いたデータ検出に基づくＲＬＬ（１−７）復調・ＲＳ−ＬＤＣデコードを実行する構成を備えている点が特徴的である。
【０１３４】
メディアドライブ部１１は、装填されたディスク９０をスピンドルモータ２１によってＣＬＶ方式又はＺＣＡＶ方式にて回転駆動する。記録再生時には、このディスク９０に対して、光学ヘッド２２からレーザ光が照射される。
【０１３５】
光学ヘッド２２は、記録時に記録トラックをキュリー温度まで加熱するための高レベルのレーザ出力を行い、また再生時には、磁気カー効果により反射光からデータを検出するための比較的低レベルのレーザ出力を行う。このため、光学ヘッド２２は、レーザ出力手段としてのレーザダイオード、偏光ビームスプリッタや対物レンズ等からなる光学系及び反射光を検出するためのディテクタが搭載されている。光学ヘッド２２に備えられる対物レンズとしては、例えば２軸機構によってディスク半径方向及びディスクに接離する方向に変位可能に保持されている。
【０１３６】
また、本具体例では、媒体表面の物理的仕様が異なる従来ミニディスク及び次世代ＭＤ１と、次世代ＭＤ２とに対して最大限の再生特性を得るために、両ディスクに対してデータ読取り時のビット・エラーレートを最適化できる位相補償板を、光学ヘッド２２の読取光光路中に設ける。
【０１３７】
ディスク９０を挟んで光学ヘッド２２と対向する位置には、磁気ヘッド２３が配置されている。磁気ヘッド２３は、記録データによって変調された磁界をディスク９０に印加する。また、図示しないが光学ヘッド２２全体及び磁気ヘッド２３をディスク半径方向に移動させためのスレッドモータ及びスレッド機構が備えられている。
【０１３８】
このメディアドライブ部１１では、光学ヘッド２２、磁気ヘッド２３による記録再生ヘッド系、スピンドルモータ２１によるディスク回転駆動系のほかに、記録処理系、再生処理系、サーボ系等が設けられる。記録処理系としては、従来ミニディスクに対する記録時にＥＦＭ変調、ＡＣＩＲＣエンコードを行う部位と、次世代ＭＤ１及び次世代ＭＤ２に対する記録時にＲＬＬ（１−７）ＰＰ変調、ＲＳ−ＬＤＣエンコードを行う部位とが設けられる。
【０１３９】
また、再生処理系としては、従来ミニディスクの再生時にＥＦＭ変調に対応する復調及びＡＣＩＲＣデコードを行う部位と、次世代ＭＤ１及び次世代ＭＤ２の再生時にＲＬＬ（１−７）ＰＰ変調に対応する復調（ＰＲ（１，２，１）ＭＬ及びビタビ復号を用いたデータ検出に基づくＲＬＬ（１−７）復調）、ＲＳ−ＬＤＣデコードを行う部位とが設けられる。
【０１４０】
光学ヘッド２２のディスク９０に対するレーザ照射によりその反射光として検出された情報（フォトディテクタによりレーザ反射光を検出して得られる光電流）は、ＲＦアンプ２４に供給される。ＲＦアンプ２４では、入力された検出情報に対して電流−電圧変換、増幅、マトリクス演算等を行い、再生情報としての再生ＲＦ信号、トラッキング・エラー信号ＴＥ、フォーカスエラー信号ＦＥ、グルーブ情報（ディスク９０にトラックのウォブリングにより記録されているＡＤＩＰ情報）等を抽出する。
【０１４１】
従来ミニディスクの再生時には、ＲＦアンプで得られた再生ＲＦ信号は、コンパレータ２５、ＰＬＬ回路２６を介して、ＥＦＭ復調部２７及びＡＣＩＲＣデコーダ２８で処理される。再生ＲＦ信号は、ＥＦＭ復調部２７で２値化されてＥＦＭ信号列とされた後、ＥＦＭ復調され、さらにＡＣＩＲＣデコーダ２８で誤り訂正及びデインターリーブ処理される。オーディオデータであれば、この時点でＡＴＲＡＣ圧縮データの状態となる。このとき、セレクタ２９は、従来ミニディスク信号側が選択されており、復調されたＡＴＲＡＣ圧縮データがディスク９０からの再生データとしてデータバッファ３０に出力される。この場合、図２０のオーディオ処理部１９に圧縮データが供給される。
【０１４２】
一方、次世代ＭＤ１又は次世代ＭＤ２の再生時には、ＲＦアンプで得られた再生ＲＦ信号は、Ａ／Ｄ変換回路３１、イコライザ３２、ＰＬＬ回路３３、ＰＲＭＬ回路３４を介して、ＲＬＬ（１−７）ＰＰ復調部３５及びＲＳ−ＬＤＣデコーダ３６で信号処理される。再生ＲＦ信号は、ＲＬＬ（１−７）ＰＰ復調部３５において、ＰＲ（１，２，１）ＭＬ及びビタビ復号を用いたデータ検出によりＲＬＬ（１−７）符号列としての再生データを得て、このＲＬＬ（１−７）符号列に対してＲＬＬ（１−７）復調処理が行われる。さらに、ＲＳ−ＬＤＣデコーダ３６にて誤り訂正及びデインターリーブ処理される。
【０１４３】
この場合、セレクタ２９は、次世代ＭＤ１・次世代ＭＤ２側が選択され、復調されたデータがディスク９０からの再生データとしてデータバッファ３０に出力される。このとき、図２０のメモリ転送コントローラ１２に対して復調データが供給される。
【０１４４】
ＲＦアンプ２４から出力されるトラッキング・エラー信号ＴＥ、フォーカスエラー信号ＦＥは、サーボ回路３７に供給され、グルーブ情報は、ＡＤＩＰデコータ３８に供給される。
【０１４５】
ＡＤＩＰデコータ３８は、グルーブ情報に対してバンドパスフィルタにより帯域制限してウォブル成分を抽出した後、ＦＭ復調、バイフェーズ復調を行ってＡＤＩＰアドレスを抽出する。抽出された、ディスク上の絶対アドレス情報であるＡＤＩＰアドレスは、従来ミニディスク及び次世代ＭＤ１の場合であれば、ＭＤアドレスデコーダ３９を介し、次世代ＭＤ２の場合であれば、次世代ＭＤ２アドレスデコーダ４０を介してドライブコントローラ４１に供給される。
【０１４６】
ドライブコントローラ４１では、各ＡＤＩＰアドレスに基づいて、所定の制御処理を実行する。またグルーブ情報は、スピンドルサーボ制御のためにサーボ回路３７に戻される。
【０１４７】
サーボ回路３７は、例えばグルーブ情報に対して再生クロック（デコード時のＰＬＬ系クロック）との位相誤差を積分して得られる誤差信号に基づき、ＣＬＶサーボ制御及びＺＣＡＶサーボ制御のためのスピンドルエラー信号を生成する。
【０１４８】
またサーボ回路３７は、スピンドルエラー信号や、上記のようにＲＦアンプ２４から供給されたトラッキング・エラー信号、フォーカスエラー信号、或いはドライブコントローラ４１からのトラックジャンプ指令、アクセス指令等に基づいて各種サーボ制御信号（トラッキング制御信号、フォーカス制御信号、スレッド制御信号、スピンドル制御信号等）を生成し、モータドライバ４２に対して出力する。すなわち、上記サーボエラー信号や指令に対して位相補償処理、ゲイン処理、目標値設定処理等の必要処理を行って各種サーボ制御信号を生成する。
【０１４９】
モータドライバ４２では、サーボ回路３７から供給されたサーボ制御信号に基づいて所定のサーボドライブ信号を生成する。ここでのサーボドライブ信号としては、２軸機構を駆動する２軸ドライブ信号（フォーカス方向、トラッキング方向の２種）、スレッド機構を駆動するスレッドモータ駆動信号、スピンドルモータ２１を駆動するスピンドルモータ駆動信号となる。このようなサーボドライブ信号により、ディスク９０に対するフォーカス制御、トラッキング制御、及びスピンドルモータ２１に対するＣＬＶ制御又はＺＣＡＶ制御が行われる。
【０１５０】
ディスク９０に対して記録動作が実行される際には、図２０に示したメモリ転送コントローラ１２から高密度データ、或いはオーディオ処理部１９からの通常のＡＴＲＡＣ圧縮データが供給される。
【０１５１】
従来ミニディスクに対する記録時には、セレクタ４３が従来ミニディスク側に接続され、ＡＣＩＲＣエンコーダ４４及びＥＦＭ変調部４５が機能する。この場合、オーディオ信号であれば、オーディオ処理部１９からの圧縮データは、ＡＣＩＲＣエンコーダ４４でインターリーブ及びエラー訂正コード付加が行われた後、ＥＦＭ変調部４５においてＥＦＭ変調される。ＥＦＭ変調データがセレクタ４３を介して磁気ヘッドドライバ４６に供給され、磁気ヘッド２３がディスク９０に対してＥＦＭ変調データに基づいた磁界印加を行うことで変調されたデータが記録される。
【０１５２】
次世代ＭＤ１及び次世代ＭＤ１に対する記録時には、セレクタ４３が次世代ＭＤ１・次世代ＭＤ２側に接続され、ＲＳ−ＬＣＤエンコーダ４７及びＲＬＬ（１−７）ＰＰ変調部４８が機能する。この場合、メモリ転送コントローラ１２から送られた高密度データは、ＲＳ−ＬＣＤエンコーダ４７でインターリーブ及びＲＳ−ＬＤＣ方式のエラー訂正コード付加が行われた後、ＲＬＬ（１−７）ＰＰ変調部４８にてＲＬＬ（１−７）変調される。
【０１５３】
ＲＬＬ（１−７）符号列に変調された記録データは、セレクタ４３を介して磁気ヘッドドライバ４６に供給され、磁気ヘッド２３がディスク９０に対して変調データに基づいた磁界印加を行うことでデータが記録される。
【０１５４】
レーザドライバ／ＡＰＣ４９は、上記のような再生時及び記録時においてレーザダイオードにレーザ発光動作を実行させるが、いわゆるＡＰＣ（Ａｕｔｏｍａｔｉｃ　Ｌａｚｅｒ　Ｐｏｗｅｒ　Ｃｏｎｔｒｏｌ）動作も行う。具体的には、図示しないが、光学ヘッド２２内には、レーザパワーモニタ用のディテクタが設けられており、このモニタ信号がレーザドライバ／ＡＰＣ４９にフィードバックされるようになっている。レーザドライバ／ＡＰＣ４９は、モニタ信号として得られた現在のレーザパワーを予め設定されているレーザパワーと比較して、その誤差分をレーザ駆動信号に反映させることによって、レーザダイオードから出力されるレーザパワーが設定値で安定化されるように制御している。ここで、レーザパワーは、ドライブコントローラ４１によって、再生レーザパワー及び記録レーザパワーとしての値がレーザドライバ／ＡＰＣ４９内部のレジスタにセットされる。
【０１５５】
ドライブコントローラ４１は、システムコントローラ１８からの指示に基づいて、以上の各動作（アクセス、各種サーボ、データ書込、データ読出の各動作）が実行されるように各構成を制御する。なお、図２１において一点鎖線で囲った各部は、１チップの回路として構成することもできる。
【０１５６】
ところで、ディスク９０が図１４のように、予めデータトラック記録領域とオーディオトラック記録領域とが分割して領域設定されている場合、システムコントローラ１８は、記録再生するデータがオーディオトラックかデータトラックかに応じて、設定された記録領域に基づいたアクセスをメディアドライブ部１１のドライブコントローラ４１に指示することになる。
【０１５７】
また、装着されたディスク９０に対して、ＰＣ用のデータ又はオーディオデータの何れか一方のみを記録許可し、これ以外のデータの記録を禁止する制御を行うようにもできる。すなわち、ＰＣ用のデータとオーディオデータとを混在しないように制御することもできる。
【０１５８】
したがって、本具体例として示すディスクドライブ装置１０は、上述した構成を備えることにより、従来ミニディスク、次世代ＭＤ１及び次世代ＭＤ２の間の互換性を実現できる。
【０１５９】
５．データトラックのセクタ再生処理
以下、上述したディスクドライブ装置１０によって、次世代ＭＤ１及び次世代ＭＤ２に対する再生処理、記録処理について説明する。データ領域に対するアクセスでは、例えば、外部のＰＣ７０からディスクドライブ装置１０のシステムコントローラ１８に対して、ＵＳＢインターフェイス１６を経由して「論理セクタ（以下、ＦＡＴセクタと記す。）」単位で記録又は再生する指示が与えられる。データクラスタは、図１５に示したように、ＰＣ７０からみれば、２０４８バイト単位に区切られてＵＳＮの昇順にＦＡＴファイルシステムに基づいて管理されている。一方、ディスク９０におけるデータトラックの最小書換単位は、それぞれ６５，５３６バイトの大きさを有した次世代ＭＤクラスタであり、この次世代ＭＤクラスにタは、ＬＣＮが与えられている。
【０１６０】
ＦＡＴにより参照されるデータセクタのサイズは、次世代ＭＤクラスタよりも小さい。そのため、ディスクドライブ装置１０では、ＦＡＴにより参照されるユーザセクタを物理的なＡＤＩＰアドレスに変換するとともに、ＦＡＴにより参照されるデータセクタ単位での読み書きをクラスタバッファメモリ１３を用いて、次世代ＭＤクラスタ単位での読み書きに変換する必要がある。
【０１６１】
図２２に、ＰＣ７０からあるＦＡＴセクタの読出要求があった場合のディスクドライブ装置１０におけるシステムコントローラ１８における処理を示す。
【０１６２】
システムコントローラ１８は、ＵＳＢインターフェイス１６を経由してＰＣ７０からのＦＡＴセクタ＃ｎの読出命令を受信すると、指定されたＦＡＴセクタ番号＃ｎのＦＡＴセクタが含まれる次世代ＭＤクラスタ番号を求める処理を行う。
【０１６３】
まず、仮の次世代ＭＤクラスタ番号ｕ０を決定する。次世代ＭＤクラスタの大きさは、６５５３６バイトであり、ＦＡＴセクタの大きさは、２０４８バイトであるため、１次世代ＭＤクラスタのなかには、ＦＡＴセクタは、３２個存在する。したがって、ＦＡＴセクタ番号（ｎ）を３２で整数除算（余りは、切り捨て）したもの（ｕ０）が仮の次世代ＭＤクラスタ番号となる。
【０１６４】
続いて、ディスク９０から補助メモリ１４に読み込んであるディスク情報を参照して、データ記録用以外の次世代ＭＤクラスタ数ｕｘを求める。すなわち、セキュアエリアの次世代ＭＤクラスタ数である。
【０１６５】
上述したように、データトラック内の次世代ＭＤクラスタのなかには、データ記録再生可能なエリアとして公開しないクラスタもある。そのため、予め補助メモリ１４に読み込んでおいたディスク情報に基づいて、非公開のクラスタ数ｕｘを求める。その後、非公開のクラスタ数ｕｘを次世代ＭＤクラスタ番号ｕ０に加え、その加算結果ｕを実際の次世代ＭＤクラスタ番号＃ｕとする。
【０１６６】
ＦＡＴセクタ番号＃ｎを含む次世代ＭＤクラスタ番号＃ｕが求められると、システムコントローラ１８は、クラスタ番号＃ｕの次世代ＭＤクラスタが既にディスク９０から読み出されてクラスタバッファメモリ１３に格納されているか否かを判別する。もし格納されていなければ、ディスク９０からこれを読み出す。
【０１６７】
システムコントローラ１８は、読み出した次世代ＭＤクラスタ番号＃ｕからＡＤＩＰアドレス＃ａを求めることでディスク９０から次世代ＭＤクラスタを読み出している。
【０１６８】
次世代ＭＤクラスタは、ディスク９０上で複数のパーツに分かれて記録されることもある。したがって、実際に記録されるＡＤＩＰアドレスを求めるためには、これらのパーツを順次検索する必要がある。そこでまず、補助メモリ１４に読み出してあるディスク情報からデータトラックの先頭パーツに記録されている次世代ＭＤクラスタ数ｐと先頭の次世代ＭＤクラスタ番号ｐｘとを求める。
【０１６９】
各パーツには、ＡＤＩＰアドレスによってスタートアドレス／エンドアドレスが記録されているため、ＡＤＩＰクラスタアドレス及びパーツ長から、次世代ＭＤクラスタ数ｐと先頭の次世代ＭＤクラスタ番号ｐｘとを求めることができる。続いて、このパーツに、目的となっているクラスタ番号＃ｕの次世代ＭＤクラスタが含まれているか否かを判別する。含まれていなければ、次のパーツに移る。すなわち、注目していたパーツのリンク情報によって示されるパーツである。以上により、ディスク情報に記述されたパーツを順に検索していき、目的の次世代ＭＤクラスタが含まれているパーツを判別する。
【０１７０】
目標の次世代ＭＤクラスタ（＃ｕ）が記録されたパーツが発見されたら、このパーツの先頭に記録される次世代ＭＤクラスタ番号ｐｘと、目標の次世代ＭＤクラスタ番号＃ｕの差を求めることで、そのパーツ先頭から目標の次世代ＭＤクラスタ（＃ｕ）までのオフセットを得る。
【０１７１】
この場合、１ＡＤＩＰクラスタには、２つの次世代ＭＤクラスタが書き込まれるため、このオフセットを２で割ることによって、オフセットをＡＤＩＰアドレスオフセットｆに変換することができる（ｆ＝（ｕ−ｐｘ）／２）。
【０１７２】
但し、０．５の端数が出た場合は、クラスタｆの中央部から書き込むこととする。最後に、このパーツの先頭ＡＤＩＰアドレス、すなわちパーツのスタートアドレスにおけるクラスタアドレス部分にオフセットｆを加えることで、次世代ＭＤクラスタ（＃ｕ）を実際に書き込む記録先のＡＤＩＰアドレス＃ａを求めることができる。
【０１７３】
以上が、図２２のステップＳ１において再生開始アドレス及びクラスタ長を設定する処理にあたる。なお、ここでは、従来ミニディスクか、次世代ＭＤ１か次世代ＭＤ２かの媒体の判別は、別の手法により、既に完了しているものとする。
【０１７４】
ＡＤＩＰアドレス＃ａが求められると、システムコントローラ１８は、メディアドライブ部１１にＡＤＩＰアドレス＃ａへのアクセスを命じる。これによりメディアドライブ部１１では、ドライブコントローラ４１の制御によってＡＤＩＰアドレス＃ａへのアクセスが実行される。
【０１７５】
システムコントローラ１８は、図２２のステップＳ２において、アクセス完了を待機し、アクセスが完了したら、ステップＳ３において、光学ヘッド１９が目標とする再生開始アドレスに到達するまで待機し、ステップＳ４において、再生開始アドレスに到達したことを確認すると、ステップＳ５において、メディアドライブ部１１に次世代ＭＤクラスタの１クラスタ分のデータ読取開始を指示する。
【０１７６】
メディアドライブ部１１では、これに応じて、ドライブコントローラ４１の制御により、ディスク９０からのデータ読出を開始する。光学ヘッド１９、ＲＦアンプ２４、ＲＬＬ（１−７）ＰＰ復調部３５、ＲＳ−ＬＤＣデコーダ３６の再生系で読み出したデータを出力し、メモリ転送コントローラ１２に供給する。
【０１７７】
このとき、システムコントローラ１８は、ステップＳ６において、ディスク９０との同期がとれているか否かを判別する。ディスク９０との同期が外れている場合、ステップＳ７において、データ読取りエラー発生の旨の信号を生成する。ステップＳ８において、再度読取りを実行すると判別された場合は、ステップＳ２からの工程を繰り返す。
【０１７８】
１クラスタ分のデータを取得すると、システムコントローラ１８は、ステップＳ１０において、取得したデータのエラー訂正を開始する。ステップＳ１１において、取得したデータに誤りあれば、ステップＳ７に戻ってデータ読取りエラー発生の旨の信号を生成する。また、取得したデータに誤りがなければ、ステップＳ１２において、所定のクラスタを取得したか否かを判別する。所定のクラスタを取得していれば、一連の処理を終了し、システムコントローラ１８は、このメディアドライブ部１１による読出動作を待機し、読み出されてメモリ転送コントローラ１２に供給されたデータをクラスタバッファメモリ１３に格納させる。取得していない場合、ステップＳ６からの工程を繰り返す。
【０１７９】
クラスタバッファメモリ１３に読み込まれた次世代ＭＤクラスタの１クラスタ分のデータは、複数個のＦＡＴセクタを含んでいる。そのため、この中から要求されたＦＡＴセクタのデータ格納位置を求め、１ＦＡＴセクタ（２０４８バイト）分のデータをＵＳＢインターフェイス１５から外部のＰＣ７０へと送出する。具体的には、システムコントローラ１８は、要求されたＦＡＴセクタ番号＃ｎから、このセクタが含まれる次世代ＭＤクラスタ内でのバイトオフセット＃ｂを求める。そして、クラスタバッファメモリ１３内のバイトオフセット＃ｂの位置から１ＦＡＴセクタ（２０４８バイト）分のデータを読み出させ、ＵＳＢインターフェイス１５を介してＰＣ７０に転送する。
【０１８０】
以上の処理により、ＰＣ７０からの１ＦＡＴセクタの読出要求に応じた次世代ＭＤセクタの読み出し・転送が実現できる。
【０１８１】
６．データトラックのセクタ書込処理
次に、ＰＣ７０からあるＦＡＴセクタの書込要求があった場合のディスクドライブ装置１０におけるシステムコントローラ１８の処理を図２３に基づいて説明する。
【０１８２】
システムコントローラ１８は、ＵＳＢインターフェイス１６を経由してＰＣ７０からのＦＡＴセクタ＃ｎの書込命令を受信すると、上述したように指定されたＦＡＴセクタ番号＃ｎのＦＡＴセクタが含まれる次世代ＭＤクラスタ番号を求める。
【０１８３】
ＦＡＴセクタ番号＃ｎを含む次世代ＭＤクラスタ番号＃ｕが求められると、続いて、システムコントローラ１８は、求められたクラスタ番号＃ｕの次世代ＭＤクラスタが既にディスク９０から読み出されてクラスタバッファメモリ１３に格納されているか否かを判別する。格納されていなければ、ディスク９０からクラスタ番号ｕの次世代ＭＤクラスタを読み出す処理を行う。すなわち、メディアドライブ部１１にクラスタ番号＃ｕの次世代ＭＤクラスタの読出を指示し、読み出された次世代ＭＤクラスタをクラスタバッファメモリ１３に格納させる。
【０１８４】
また、上述のようにして、システムコントローラ１８は、書込要求にかかるＦＡＴセクタ番号＃ｎから、このセクタが含まれる次世代ＭＤクラスタ内でのバイトオフセット＃ｂを求める。続いて、ＰＣ７０から転送されてくる当該ＦＡＴセクタ（＃ｎ）への書込データとなる２０４８バイトのデータをＵＳＢインターフェイス１５を介して受信し、クラスタバッファメモリ１３内のバイトオフセット＃ｂの位置から、１ＦＡＴセクタ（２０４８バイト）分のデータを書き込む。
【０１８５】
これにより、クラスタバッファメモリ１３に格納されている当該次世代ＭＤクラスタ（＃ｕ）のデータは、ＰＣ７０が指定したＦＡＴセクタ（＃ｎ）のみが書き換えられた状態となる。そこでシステムコントローラ１８は、クラスタバッファメモリ１３に格納されている次世代ＭＤクラスタ（＃ｕ）をディスク９０に書き込む処理を行う。
【０１８６】
以上が、図２３のステップＳ２１における記録データ準備工程である。この場合も同様に、媒体の判別は、別の手法により既に完了しているものとする。
【０１８７】
続いて、システムコントローラ１８は、図２３のステップＳ２２において、書込を行う次世代ＭＤクラスタ番号＃ｕから、記録開始位置のＡＤＩＰアドレス＃ａを設定する。ＡＤＩＰアドレス＃ａが求められたら、システムコントローラ１８は、メディアドライブ部１１にＡＤＩＰアドレス＃ａへのアクセスを命じる。これによりメディアドライブ部１１では、ドライブコントローラ４１の制御によってＡＤＩＰアドレス＃ａへのアクセスが実行される。
【０１８８】
ステップＳ２３において、アクセスが完了したことを確認すると、ステップＳ２４において、システムコントローラ１８は、光学ヘッド１９が目標とする再生開始アドレスに到達するまで待機し、ステップＳ２５において、データのエンコードアドレスに到達したことを確認すると、ステップＳ２６において、システムコントローラ１８は、メモリ転送コントローラ１２に指示して、クラスタバッファメモリ１３に格納されている次世代ＭＤクラスタ（＃ｕ）のデータのメディアドライブ部１１への転送を開始する。
【０１８９】
続いて、システムコントローラ１８は、ステップＳ２７において、記録開始アドレスに到達したことを確認すると、メディアドライブ部１１に対しては、ステップＳ２８において、この次世代ＭＤクラスタのデータのディスク９０への書込開始を指示する。このとき、メディアドライブ部１１では、これに応じてドライブコントローラ４１の制御により、ディスク９０へのデータ書込を開始する。すなわち、メモリ転送コントローラ１２から転送されてくるデータについて、ＲＳ−ＬＤＣエンコーダ４７、ＲＬＬ（１−７）ＰＰ変調部４８、磁気ヘッドドライバ４６、磁気ヘッド２３及び光学ヘッド１９の記録系でデータ記録を行う。
【０１９０】
このとき、システムコントローラ１８は、ステップＳ２９において、ディスク９０との同期がとれているか否かを判別する。ディスク９０との同期が外れている場合、ステップＳ３０において、データ読取りエラー発生の旨の信号を生成する。ステップＳ３１において、再度読取りを実行すると判別された場合は、ステップＳ２からの工程を繰り返す。
【０１９１】
１クラスタ分のデータを取得すると、システムコントローラ１８は、ステップＳ３２において、所定のクラスタを取得したか否かを判別する。所定のクラスタを取得していれば、一連の処理を終了する。
【０１９２】
以上の処理により、ＰＣ７０からの１ＦＡＴセクタの書込要求に応じた、ディスク９０へのＦＡＴセクタデータの書込が実現される。つまり、ＦＡＴセクタ単位の書込は、ディスク９０に対しては、次世代ＭＤクラスタ単位の書換として実行される。
【０１９３】
本具体例で説明した既存のＭＤ、次世代ＭＤ１、及び次世代ＭＤ２のいずれのフォーマットにおいても、記録トラック以外の領域において、ＭＴＦ以上の周波数成分を有する初期パターンを記録しておくことにより、記録トラック以外の領域からのノイズ成分を除去して光磁気ディスクの再生特性が向上する。また、本具体例で説明したいずれのＭＤについても、第１の実施の形態で説明したように、ドライブ装置に装着された状態で印加される漏れ磁界の向きに対して磁化の方向が逆方向に向くように揃えることにより、再生特性を向上させることができる。
【０１９４】
【発明の効果】
以上詳細に説明したように本発明に係るディスク状記録媒体は、電磁力を駆動力とする光ピックアップ手段を有するドライブ装置にて再生されるディスク状記録媒体において、上記光ピックアップ手段から印加される外部磁化の影響をキャンセルする方向に磁化されているので、磁化が不揃いなまま残っている初期状態において生じる影響及び光学ピックアップの２軸からの漏れ磁界の影響を受けることなく、記録再生時のクロストーク等によるノイズ成分を軽減して良好な再生特性を得ることができる。
【０１９５】
また、本発明に係るディスク状記録媒体は、電磁力を駆動力とする光ピックアップ手段を有するドライブ装置にて再生されるディスク状記録媒体において、上記光ピックアップの変調伝達関数（ＭＴＦ）より高い周波数成分を有する記録パターンが記録されているので、初期状態における磁化が不揃いなまま残ることによる影響及び一様に磁化することによる浮遊磁界の影響を受けることなく、記録トラック以外の領域からのノイズ成分を低減して良好な再生特性を得ることができる。
【図面の簡単な説明】
【図１】グルーブ記録の光磁気ディスクに対して、ランドを一様な方向に磁化させた本発明の第１の実施の形態の光磁気ディスクに、周期２Ｔで記録した場合の再生信号のスペクトルを示すグラフ図である。
【図２】（ａ）及び（ｂ）は、アクチュエータの一例として、フォーカス方向の駆動回路を示す模式図であって、図２（ｂ）は、図２（ａ）のＢ−Ｂ線における側面図である。
【図３】図２（ａ）に示す位置Ａにおける断面の測定領域での漏れ磁界の強度分布（磁束密度）をシミュレーションした結果を示す図である。
【図４】本発明の第１の実施の形態の効果を示す図であって、グルーブ記録の光磁気ディスクの初期化処理として、アクチュエータからの漏れ磁界の方向とは反対方向に一様に磁化した第１の実施の形態の光磁気ディスクと、漏れ磁界の方向と同様の方向に磁化した従来の光磁気ディスクとのビット・エラーレートを比較して示すグラフ図である。
【図５】グルーブ記録の光磁気ディスクに対して、ランドに、ＭＴＦ以下である周期８Ｔの初期パターンを書き込んで初期化処理した後、周期２Ｔで記録し、再生した際の再生信号のスペクトルを示すグラフ図である。
【図６】グルーブ記録の光磁気ディスクに対して、ランドに、ＭＴＦ以上である周期２Ｔの初期パターンを書き込んで初期化処理した後、周期２Ｔで記録し、再生した際の再生信号のスペクトルを示すグラフ図である。
【図７】トラッキング・サーボをかける際にエラー信号として用いられるＰｕｌｌ−ＩｎとＰｕｓｈ−Ｐｕｌｌ（プッシュ・プル）との関係を示すグラフ図である。
【図８】本発明の第１及び第２の実施の形態における光磁気ディスクの再生信号のビット・エラーレートを示すグラフ図である。
【図９】第１世代（既存）ＭＤ、次世代ＭＤ１、次世代ＭＤ２の仕様を示す図である。
【図１０】次世代ＭＤ１及び次世代ＭＤ２のＢＩＳを含むデータブロック構成を示す図である。
【図１１】次世代ＭＤ１及び次世代ＭＤ２のデータブロックに対するＥＣＣフォーマットを示す図である。
【図１２】次世代ＭＤ１の盤面上のエリア構造例を模式的に示した図である。
【図１３】次世代ＭＤ２の盤面上のエリア構造例を模式的に示した図である。
【図１４】次世代ＭＤ１及び次世代ＭＤ２に音楽データ用のオーディオトラックとデータトラックとを混在記録可能とするエリア構造例を示した図である。
【図１５】次世代ＭＤ１のデータ管理構造を示した図である。
【図１６】次世代ＭＤ２のデータ管理構造を示した図である。
【図１７】次世代ＭＤ１及び次世代ＭＤ２のＡＤＩＰセクタ構造とデータブロックとの関係を示す図である。
【図１８】ＡＤＩＰのデータ構造を示す図である。
【図１９】次世代ＭＤ２のＡＤＩＰ信号にディスクコントロール信号を埋め込む処理を説明するための図である。
【図２０】ディスクドライブ装置の構成を示すブロック図である。
【図２１】メディアドライブ部の内部構成を示すブロック図である。
【図２２】ＰＣからあるＦＡＴセクタの読出要求があった場合のディスクドライブ装置におけるシステムコントローラにおける処理を示すフローチャートである。
【図２３】ＰＣからあるＦＡＴセクタの書込要求があった場合のディスクドライブ装置におけるシステムコントローラの処理を示すフローチャートである。
【図２４】磁壁移動型超解像（ＤＷＤＤ）再生方式の光磁気ディスクの再生動作を説明するための概略断面図及び温度分布図である。
【図２５】磁壁移動型超解像（ＤＷＤＤ）再生方式の光磁気ディスクのビームスポットと記録マークとの関係を示す概略平面図である。
【符号の説明】
２１０　駆動機構、２１１ａ，２１１ｂ　フォーカスコイル、２１２　可動部、　２１３　軸、２１４　対物レンズ、２１５ａ，２１５ｂ　磁石
【図１】
2004022137.tif 000003
【図２】
2004022137.tif 000004
【図３】
2004022137.tif 000005
【図４】
2004022137.tif 000006
【図５】
2004022137.tif 000007
【図６】
2004022137.tif 000008
【図７】
2004022137.tif 000009
【図８】
2004022137.tif 000010
【図９】
2004022137.tif 000011
【図１０】
2004022137.tif 000012
【図１１】
2004022137.tif 000013
【図１２】
2004022137.tif 000014
【図１３】
2004022137.tif 000015
【図１４】
2004022137.tif 000016
【図１５】
2004022137.tif 000017
【図１６】
2004022137.tif 000018
【図１７】
2004022137.tif 000019
【図１８】
2004022137.tif 000020
【図１９】
2004022137.tif 000021
【図２０】
2004022137.tif 000022
【図２１】
2004022137.tif 000023
【図２２】
2004022137.tif 000024
【図２３】
2004022137.tif 000025
【図２４】
2004022137.tif 000026
【図２５】
2004022137.tif 000027